(57)【要約】  本願の実施例はフィードバック情報伝送方法、端末装置及びネットワーク機器を提供し、フィードバック情報の伝送に使用されるフィードバックモードを動的に調整することができ、それによりフィードバックオーバーヘッドと伝送リソースの利用率を総合的に考慮することができる。該方法は、端末装置がフィードバック情報の伝送に使用される目標フィードバックモードを決定し、前記フィードバック情報は前記端末装置が受信したネットワーク機器から送信された伝送ブロックＴＢに対するフィードバック情報であることと、前記端末装置が前記目標フィードバックモードを使用して前記フィードバック情報を伝送することと、を含む。
2020511823.tif 000002
【特許請求の範囲】
【請求項１】
フィードバック情報伝送方法であって、
端末装置はフィードバック情報の伝送に使用される目標フィードバックモードを決定し、前記フィードバック情報は前記端末装置が受信したネットワーク機器から送信された伝送ブロックＴＢに対するフィードバック情報であることと、
前記端末装置は前記目標フィードバックモードを使用して前記フィードバック情報を伝送することと、を含むことを特徴とするフィードバック情報伝送方法。
【請求項２】
前記端末装置がフィードバック情報の伝送に使用される目標フィードバックモードを決定することは、
前記端末装置が前記ＴＢの受信状況に応じて前記目標フィードバックモードを決定することを含むことを特徴とする請求項１に記載の方法。
【請求項３】
前記端末装置が前記ＴＢの受信状況に応じて前記目標フィードバックモードを決定することは、
前記端末装置が前記ＴＢの受信状況に応じて予め設定された複数のフィードバックモードから前記目標フィードバックモードを決定することを含むことを特徴とする請求項２に記載の方法。
【請求項４】
前記方法は、更に、
前記端末装置が前記ネットワーク機器から送信された、前記ネットワーク機器により予め設定された前記複数のフィードバックモードを含む高層シグナリングを受信することを含むことを特徴とする請求項３に記載の方法。
【請求項５】
前記端末装置が前記ＴＢの受信状況に応じて前記目標フィードバックモードを決定することは、
前記端末装置が第１パラメータに基づいて前記目標フィードバックモードを決定し、前記第１パラメータが前記ＴＢにおける受信に成功した又は受信に失敗したコードブロックＣＢの個数、又は、受信に成功した又は受信に失敗したＣＢの総ＣＢでの比率を示すことを含むことを特徴とする請求項２〜４のいずれか１項に記載の方法。
【請求項６】
前記端末装置が第１パラメータに基づいて前記目標フィードバックモードを決定することは、
前記端末装置が複数の範囲から前記第１パラメータに対応する第１範囲を決定し、前記複数の範囲が１つのＴＢにおける受信に成功した又は受信に失敗したＣＢの個数範囲、又は、１つのＴＢにおける受信に成功した又は受信に失敗したＣＢの総ＣＢでの比率範囲であることと、
前記端末装置が前記第１範囲及び予め設定された前記複数の範囲と複数のフィードバックモードとの対応関係に基づいて前記目標フィードバックモードを決定することと、を含むことを特徴とする請求項５に記載の方法。
【請求項７】
前記方法は、更に、
前記端末装置が前記ネットワーク機器から送信された、前記ネットワーク機器により予め設定された前記対応関係を含む高層シグナリングを受信することを含むことを特徴とする請求項６に記載の方法。
【請求項８】
前記方法は、更に、
前記端末装置が前記ネットワーク機器から送信された、前記フィードバック情報を伝送するための物理アップリンク制御チャネルＰＵＣＣＨのリソースの情報を受信し、前記ＰＵＣＣＨのリソースによって前記端末装置が前記複数のフィードバックモードのうちのいずれか１つのフィードバックモードを使用して伝送する前記フィードバック情報を伝送することができることを含み、
前記端末装置が前記目標フィードバックモードを使用して前記フィードバック情報を伝送することは、
前記端末装置が前記ＰＵＣＣＨのリソースにおいて前記目標フィードバックモードを使用して前記フィードバック情報を伝送することを含むことを特徴とする請求項４〜７のいずれか１項に記載の方法。
【請求項９】
前記端末装置がフィードバック情報の伝送に使用される目標フィードバックモードを決定することは、
前記端末装置がネットワーク機器から送信された指示情報を受信することと、
前記端末装置が前記指示情報に基づいて前記目標フィードバックモードを決定することと、を含むことを特徴とする請求項１に記載の方法。
【請求項１０】
前記指示情報が前記フィードバック情報の伝送に使用されるＰＵＣＣＨのフォーマット及び／又はリソースの情報を示し、前記端末装置が前記指示情報に基づいて前記目標フィードバックモードを決定することは、
前記端末装置が前記ＰＵＣＣＨのフォーマット及び／又はリソースの情報に基づいて前記目標フィードバックモードを決定することを含み、
前記端末装置が前記目標フィードバックモードを使用して前記フィードバック情報を伝送することは、
前記ＰＵＣＣＨのフォーマット及び／又はリソースを使用して前記フィードバック情報を伝送することを含むことを特徴とする請求項９に記載の方法。
【請求項１１】
前記端末装置が前記ＰＵＣＣＨのフォーマット及び／又はリソースの情報に基づいて前記目標フィードバックモードを決定することは、
前記ＰＵＣＣＨのフォーマット及び／又はリソースの情報が１つの確認／否定確認ＡＣＫ／ＮＡＣＫを伝送するフォーマット及び／又はリソースを示す場合、前記端末装置が前記ＴＢに対して１ビットのＡＣＫ／ＮＡＣＫを用いることを目標フィードバックモードとして決定すること、又は
前記ＰＵＣＣＨのフォーマット及び／又はリソースの情報が複数のＡＣＫ／ＮＡＣＫを伝送するフォーマット及び／又はリソースを示す場合、前記端末装置が前記ＴＢに対して複数のビットのＡＣＫ／ＮＡＣＫを用いることを目標フィードバックモードとして決定することを含むことを特徴とする請求項１０に記載の方法。
【請求項１２】
前記指示情報は前記端末装置が前記フィードバック情報を伝送するフィードバックモードを示し、前記端末装置が前記指示情報に基づいて前記目標フィードバックモードを決定することは、
前記端末装置が指示情報の示す前記フィードバック情報を伝送するフィードバックモードを前記目標フィードバックモードとして決定することを含むことを特徴とする請求項９に記載の方法。
【請求項１３】
前記方法は、更に、
前記端末装置が前記ネットワーク機器から送信された前記指示情報を含む第１シグナリングを受信し、前記第１シグナリングが物理層シグナリング、ＭＡＣ層シグナリング又は高層シグナリングであることを含むことを特徴とする請求項９〜１２のいずれか１項に記載の方法。
【請求項１４】
前記端末装置が前記目標フィードバックモードを使用して前記フィードバック情報を伝送することは、
前記端末装置がデータチャネル及び／又は制御チャネルにおいて前記目標フィードバックモードを使用して前記フィードバック情報を伝送することを含むことを特徴とする請求項１〜１３のいずれか１項に記載の方法。
【請求項１５】
前記目標フィードバックモードは第１フィードバックモードと第２フィードバックモードを含み、前記端末装置がデータチャネル及び／又は制御チャネルにおいて前記目標フィードバックモードを使用してフィードバックモードを伝送することは、
前記データチャネルにおいて前記第１フィードバックモードで前記フィードバック情報を伝送し、前記制御チャネルにおいて前記第２フィードバックモードで前記フィードバック情報を伝送することを含むことを特徴とする請求項１４に記載の方法。
【請求項１６】
前記データチャネルにおいて前記第１フィードバックモードで前記フィードバック情報を伝送することは、
前記端末装置がメディアアクセス制御ＭＡＣ制御要素ＣＥにおいて前記第１フィードバックモードでフィードバックすることを含むことを特徴とする請求項１５に記載の方法。
【請求項１７】
前記方法は、更に、
前記端末装置がネットワーク機器から送信された、アップリンクデータチャネルを伝送するためのリソースの情報を受信することを含み、
前記端末装置がデータチャネル及び／又は制御チャネルにおいて前記目標フィードバックモードを使用してフィードバックモードを伝送することは、
前記端末装置が前記アップリンクデータチャネルを伝送するためのリソースにおいて、前記目標フィードバックモードを使用して前記フィードバック情報を伝送することを含むことを特徴とする請求項１４〜１６のいずれか１項に記載の方法。
【請求項１８】
前記目標フィードバックモードは、
前記ＴＢに対して１ビットのＡＣＫ／ＮＡＣＫを用いてフィードバックするモード、複数のＴＢに対して１ビットのＡＣＫ／ＮＡＣＫを用いてフィードバックするモード、前記ＴＢにおける一部又は全部のＣＢに対してビットマッピング方式でフィードバックするモードのうちの１つを含み、前記複数のＴＢが前記ＴＢを含むことを特徴とする請求項１〜１７のいずれか１項に記載の方法。
【請求項１９】
フィードバック情報伝送方法であって、
ネットワーク機器が端末装置へ指示情報を送信し、前記指示情報は前記端末装置がフィードバック情報の伝送に使用される目標フィードバックモードを決定することに用いられ、前記フィードバック情報は前記端末装置が受信した前記ネットワーク機器から送信された伝送ブロックＴＢに対するフィードバック情報であることと、
前記ネットワーク機器は前記端末装置が前記目標フィードバックモードを使用して伝送したフィードバック情報を受信することと、を含むことを特徴とするフィードバック情報伝送方法。
【請求項２０】
前記指示情報は、
複数のフィードバックモード、複数の範囲と複数のフィードバックモードとの対応関係、前記フィードバック情報の伝送に使用される物理アップリンク制御チャネルＰＵＣＣＨのフォーマット及び／又はリソースの情報及び前記端末装置が前記フィードバック情報を伝送するフィードバックモードのうちの少なくとも１つを示し、前記複数の範囲が１つのＴＢにおける受信に成功した又は受信に失敗したＣＢの個数範囲、又は、１つのＴＢにおける受信に成功した又は受信に失敗したＣＢの総ＣＢでの比率範囲であることを特徴とする請求項１９に記載の方法。
【請求項２１】
前記指示情報が前記複数のフィードバックモードを示し、前記ネットワーク機器が前記端末装置が前記目標フィードバックモードを使用して伝送したフィードバック情報を受信することは、
前記ネットワーク機器が前記端末装置が第１フィードバックモードで伝送したフィードバック情報を受信することを含み、前記第１フィードバックモードは端末装置が前記ＴＢの受信状況に応じて前記複数のフィードバックモードから決定されたものであることを特徴とする請求項２０に記載の方法。
【請求項２２】
前記指示情報が前記複数の範囲と複数のフィードバックモードとの対応関係を示し、前記ネットワーク機器が前記端末装置が前記目標フィードバックモードを使用して伝送したフィードバック情報を受信することは、
前記ネットワーク機器が前記端末装置が第２フィードバックモードで伝送したフィードバック情報を受信することを含み、前記第２フィードバックモードは端末装置が第１範囲及び前記対応関係に基づいて決定されたものであり、前記第１範囲が第１パラメータに対応する範囲であり、前記第１パラメータが前記ＴＢにおける受信に成功した又は受信に失敗したコードブロックＣＢの個数、又は、受信に成功した又は受信に失敗したＣＢの総ＣＢでの比率を示すことを特徴とする請求項２０に記載の方法。
【請求項２３】
前記指示情報は前記端末装置が前記フィードバック情報を伝送するフィードバックモードを示し、前記ネットワーク機器が前記端末装置が前記目標フィードバックモードを使用して伝送したフィードバック情報を受信することは、
前記ネットワーク機器が前記端末装置が前記指示情報の示す前記フィードバック情報を伝送するフィードバックモードで伝送した前記フィードバック情報を受信することを含むことを特徴とする請求項２０に記載の方法。
【請求項２４】
前記指示情報が前記フィードバック情報の伝送に使用されるＰＵＣＣＨのフォーマット及び／又はリソースの情報を示し、前記ネットワーク機器が前記端末装置が前記目標フィードバックモードを使用して伝送したフィードバック情報を受信することは、
前記ネットワーク機器が前記端末装置が第３フィードバックモードで伝送した前記フィードバック情報を受信することを含み、前記第３フィードバックモードが前記ＰＵＣＣＨのフォーマット及び／又はリソースの情報に基づいて決定されたものであることを特徴とする請求項２０に記載の方法。
【請求項２５】
前記ネットワーク機器が前記端末装置が第３フィードバックモードで伝送した前記フィードバック情報を受信することは、
前記ＰＵＣＣＨのフォーマット及び／又はリソースの情報が１つの確認／否定確認ＡＣＫ／ＮＡＣＫを伝送するフォーマット及び／又はリソースを示す場合、前記ネットワーク機器が前記端末装置が１ビットのＡＣＫ／ＮＡＣＫを用いてフィードバックしたフィードバック情報を受信すること、又は
前記ＰＵＣＣＨのフォーマット及び／又はリソースの情報が複数のＡＣＫ／ＮＡＣＫを伝送するフォーマット及び／又はリソースを示す場合、前記ネットワーク機器が前記端末装置が複数のビットのＡＣＫ／ＮＡＣＫを用いてフィードバックした前記フィードバック情報を受信することを含むことを特徴とする請求項２４に記載の方法。
【請求項２６】
前記ネットワーク機器が前記端末装置へ指示情報を送信することは、
前記ネットワーク機器が前記指示情報を含む高層シグナリングを前記端末装置に送信することを含むことを特徴とする請求項１９〜２５のいずれか１項に記載の方法。
【請求項２７】
前記高層シグナリングが無線リソース制御ＲＲＣシグナリングであることを特徴とする請求項２６に記載の方法。
【請求項２８】
前記方法は、更に、
前記ネットワーク機器が前記フィードバック情報を伝送するための物理アップリンク制御チャネルＰＵＣＣＨのリソースの情報を前記ネットワーク機器に送信し、前記ＰＵＣＣＨのリソースによって前記端末装置が前記複数のフィードバックモードのうちのいずれか１つのフィードバックモードで伝送する前記フィードバック情報を伝送することができることを含み、
前記ネットワーク機器が前記端末装置が前記目標フィードバックモードを使用して伝送したフィードバック情報を受信することは、
前記ネットワーク機器が前記端末装置の前記ＰＵＣＣＨリソースにおいて前記目標フィードバックモードを使用して伝送した前記フィードバック情報を受信することを含むことを特徴とする請求項２０〜２２のいずれか１項に記載の方法。
【請求項２９】
前記ネットワーク機器が前記端末装置が前記目標フィードバックモードを使用して伝送したフィードバック情報を受信することは、
前記ネットワーク機器が前記端末装置のデータチャネル及び／又は制御チャネルにおいて前記目標フィードバックモードを使用して伝送した前記フィードバック情報を受信することを含むことを特徴とする請求項１９〜２８のいずれか１項に記載の方法。
【請求項３０】
前記目標フィードバックモードは第１目標フィードバックモードと第２目標フィードバックモードを含み、前記ネットワーク機器が前記端末装置のデータチャネル及び／又は制御チャネルにおいて前記目標フィードバックモードを使用して伝送した前記フィードバック情報を受信することは、
前記ネットワーク機器が前記端末装置の前記データチャネルにおいて前記第１目標フィードバックモードを使用して伝送した前記フィードバック情報を受信することと、前記ネットワーク機器が前記端末装置の前記制御チャネルにおいて前記第２目標フィードバックモードを使用して伝送した前記フィードバック情報を受信することと、を含むことを特徴とする請求項２９に記載の方法。
【請求項３１】
前記ネットワーク機器が前記端末装置の前記データチャネルにおいて前記第１目標フィードバックモードを使用して伝送した前記フィードバック情報を受信することは、
前記ネットワーク機器が前記端末装置のメディアアクセス制御ＭＡＣ制御要素ＣＥにおいて前記第１目標フィードバックモードを使用して伝送した前記フィードバック情報を受信することを含むことを特徴とする請求項３０に記載の方法。
【請求項３２】
前記方法は、更に、
前記ネットワーク機器がアップリンクデータチャネルを伝送するためのリソースの情報を前記端末装置に送信することを含み、
前記ネットワーク機器が前記端末装置のデータチャネル及び／又は制御チャネルにおいて前記目標フィードバックモードを使用して伝送した前記フィードバック情報を受信することは、
前記ネットワーク機器が前記端末装置の、アップリンクデータチャネルを伝送するためのリソースにおいて前記目標フィードバックモードを使用して伝送した前記フィードバック情報を受信することを含むことを特徴とする請求項２９〜３１のいずれか１項に記載の方法。
【請求項３３】
前記目標フィードバックモードは、
前記ＴＢに対して１ビットのＡＣＫ／ＮＡＣＫを用いてフィードバックするモード、複数のＴＢに対して１ビットのＡＣＫ／ＮＡＣＫを用いてフィードバックするモード、前記ＴＢにおける一部又は全部のＣＢに対してビットマッピング方式でフィードバックするモードのうちの１つを含み、前記複数のＴＢが前記ＴＢを含むことを特徴とする請求項１９〜３２のいずれか１項に記載の方法。
【請求項３４】
端末装置であって、
フィードバック情報の伝送に使用される目標フィードバックモードを決定することに用いられ、前記フィードバック情報は前記端末装置が受信したネットワーク機器から送信された伝送ブロックＴＢに対するフィードバック情報である決定モジュールと、
前記目標フィードバックモードを使用して前記フィードバック情報を伝送するための通信モジュールと、を備えることを特徴とする端末装置。
【請求項３５】
前記決定モジュールは、具体的に、
前記ＴＢの受信状況に応じて前記目標フィードバックモードを決定することに用いられることを特徴とする請求項３４に記載の端末装置。
【請求項３６】
前記決定モジュールは、具体的に、
前記ＴＢの受信状況に応じて予め設定された複数のフィードバックモードから前記目標フィードバックモードを決定することに用いられることを特徴とする請求項３５に記載の端末装置。
【請求項３７】
前記通信モジュールは、更に、
前記ネットワーク機器から送信された、前記ネットワーク機器により予め設定された前記複数のフィードバックモードを含む高層シグナリングを受信することに用いられることを特徴とする請求項３６に記載の端末装置。
【請求項３８】
前記決定モジュールは、具体的に、
第１パラメータに基づいて前記目標フィードバックモードを決定することに用いられ、前記第１パラメータが前記ＴＢにおける受信に成功した又は受信に失敗したコードブロックＣＢの個数、又は、受信に成功した又は受信に失敗したＣＢの総ＣＢでの比率を示すことを特徴とする請求項３５〜３７のいずれか１項に記載の端末装置。
【請求項３９】
前記決定モジュールは、具体的に、
複数の範囲から前記第１パラメータに対応する第１範囲を決定し、前記複数の範囲が１つのＴＢにおける受信に成功した又は受信に失敗したＣＢの個数範囲、又は、１つのＴＢにおける受信に成功した又は受信に失敗したＣＢの総ＣＢでの比率範囲であり、
前記第１範囲及び予め設定された前記複数の範囲と複数のフィードバックモードとの対応関係に基づいて前記目標フィードバックモードを決定することに用いられることを特徴とする請求項３８に記載の端末装置。
【請求項４０】
前記通信モジュールは、更に、
前記ネットワーク機器から送信された、前記ネットワーク機器により予め設定された前記対応関係を含む高層シグナリングを受信することに用いられることを特徴とする請求項３９に記載の端末装置。
【請求項４１】
前記通信モジュールは、更に、
前記ネットワーク機器から送信された、前記フィードバック情報を伝送するための物理アップリンク制御チャネルＰＵＣＣＨのリソースの情報を受信し、前記ＰＵＣＣＨのリソースによって前記端末装置が前記複数のフィードバックモードのうちのいずれか１つのフィードバックモードで伝送する前記フィードバック情報を伝送することができ、
前記ＰＵＣＣＨリソースにおいて前記目標フィードバックモードを使用して前記フィードバック情報を伝送することに用いられることを特徴とする請求項３７〜４０のいずれか１項に記載の端末装置。
【請求項４２】
前記通信モジュールは、更に、
ネットワーク機器から送信された指示情報を受信することに用いられ、
前記決定モジュールは、具体的に、
前記指示情報に基づいて前記目標フィードバックモードを決定することに用いられることを特徴とする請求項３４に記載の端末装置。
【請求項４３】
前記指示情報が前記フィードバック情報の伝送に使用されるＰＵＣＣＨのフォーマット及び／又はリソースの情報を示し、前記決定モジュールは、具体的に、
前記ＰＵＣＣＨのフォーマット及び／又はリソースの情報に基づいて前記目標フィードバックモードを決定することに用いられ、
前記通信モジュールは、具体的に、
前記ＰＵＣＣＨのフォーマット及び／又はリソースを使用して前記フィードバック情報を伝送することに用いられることを特徴とする請求項４２に記載の端末装置。
【請求項４４】
前記決定モジュールは、具体的に、
前記ＰＵＣＣＨのフォーマット及び／又はリソースの情報が１つの確認／否定確認ＡＣＫ／ＮＡＣＫを伝送するフォーマット及び／又はリソースを示す場合、目標フィードバックモードが前記ＴＢに対して１ビットのＡＣＫ／ＮＡＣＫを用いることであると決定し、又は
前記ＰＵＣＣＨのフォーマット及び／又はリソースの情報が複数のＡＣＫ／ＮＡＣＫを伝送するフォーマット及び／又はリソースを示す場合、目標フィードバックモードが前記ＴＢに対して複数のビットのＡＣＫ／ＮＡＣＫを用いることであると決定することに用いられることを特徴とする請求項４３に記載の端末装置。
【請求項４５】
前記指示情報は前記端末装置が前記フィードバック情報を伝送するフィードバックモードを示し、前記決定モジュールは、具体的に、
指示情報の示す前記フィードバック情報を伝送するフィードバックモードを前記目標フィードバックモードとして決定することに用いられることを特徴とする請求項４２に記載の端末装置。
【請求項４６】
前記通信モジュールは、更に、
前記ネットワーク機器から送信された前記指示情報を含む第１シグナリングを受信することに用いられ、前記第１シグナリングが物理層シグナリング、ＭＡＣ層シグナリング又は高層シグナリングであることを特徴とする請求項４２〜４５のいずれか１項に記載の端末装置。
【請求項４７】
前記通信モジュールは、具体的に、
データチャネル及び／又は制御チャネルにおいて前記目標フィードバックモードを使用して前記フィードバック情報を伝送することに用いられることを特徴とする請求項３４〜４６のいずれか１項に記載の端末装置。
【請求項４８】
前記目標フィードバックモードは第１フィードバックモードと第２フィードバックモードを含み、前記通信モジュールは、具体的に、
前記データチャネルにおいて前記第１フィードバックモードで前記フィードバック情報を伝送し、前記制御チャネルにおいて前記第２フィードバックモードで前記フィードバック情報を伝送することに用いられることを特徴とする請求項４７に記載の端末装置。
【請求項４９】
前記通信モジュールは、具体的に、
メディアアクセス制御ＭＡＣ制御要素ＣＥにおいて前記第１フィードバックモードでフィードバックすることに用いられることを特徴とする請求項４８に記載の端末装置。
【請求項５０】
前記通信モジュールは、具体的に、
ネットワーク機器から送信されたアップリンクデータチャネルを伝送するためのリソースの情報を受信し、
アップリンクデータチャネルを伝送するためのリソースにおいて、前記目標フィードバックモードを使用して前記フィードバック情報を伝送することに用いられることを特徴とする請求項４７〜４９のいずれか１項に記載の端末装置。
【請求項５１】
前記目標フィードバックモードは、
前記ＴＢに対して１ビットのＡＣＫ／ＮＡＣＫを用いてフィードバックするモード、複数のＴＢに対して１ビットのＡＣＫ／ＮＡＣＫを用いてフィードバックするモード、前記ＴＢにおける一部又は全部のＣＢに対してビットマッピング方式でフィードバックするモードのうちの１つを含み、前記複数のＴＢが前記ＴＢを含むことを特徴とする請求項３４〜５０のいずれか１項に記載の端末装置。
【請求項５２】
ネットワーク機器であって、
前記端末装置がフィードバック情報の伝送に使用される目標フィードバックモードを決定するための指示情報を前記端末装置に送信することに用いられ、前記フィードバック情報は前記端末装置が受信した前記ネットワーク機器から送信された伝送ブロックＴＢに対するフィードバック情報である送信モジュールと、
前記端末装置が前記目標フィードバックモードを使用して伝送したフィードバック情報を受信するための受信モジュールと、を備えることを特徴とするネットワーク機器。
【請求項５３】
前記指示情報は、
複数のフィードバックモード、複数の範囲と複数のフィードバックモードとの対応関係、前記フィードバック情報の伝送に使用される物理アップリンク制御チャネルＰＵＣＣＨのフォーマット及び／又はリソースの情報、前記端末装置が前記フィードバック情報を伝送するフィードバックモードのうちの少なくとも１つを示し、前記複数の範囲が１つのＴＢにおける受信に成功した又は受信に失敗したＣＢの個数範囲、又は、１つのＴＢにおける受信に成功した又は受信に失敗したＣＢの総ＣＢでの比率範囲であることを特徴とする請求項５２に記載のネットワーク機器。
【請求項５４】
前記指示情報が前記複数のフィードバックモードを示し、前記受信モジュールは、具体的に、
前記端末装置が第１フィードバックモードで伝送したフィードバック情報を受信することに用いられ、前記第１フィードバックモードは端末装置が前記ＴＢの受信状況に応じて前記複数のフィードバックモードから決定されたものであることを特徴とする請求項５３に記載のネットワーク機器。
【請求項５５】
前記指示情報が複数の範囲と複数のフィードバックモードとの対応関係を示し、前記受信モジュールは、具体的に、
前記端末装置が第２フィードバックモードで伝送したフィードバック情報を受信することに用いられ、前記第２フィードバックモードは端末装置が第１範囲及び前記対応関係に基づいて決定されたものであり、前記第１範囲が第１パラメータに対応する範囲であり、前記第１パラメータが前記ＴＢにおける受信に成功した又は受信に失敗したコードブロックＣＢの個数、又は、受信に成功した又は受信に失敗したＣＢの総ＣＢでの比率を示すことを特徴とする請求項５３に記載のネットワーク機器。
【請求項５６】
前記指示情報は前記端末装置が前記フィードバック情報を伝送するフィードバックモードを示し、前記受信モジュールは、具体的に、
前記端末装置が前記指示情報の示す前記フィードバック情報を伝送するフィードバックモードで伝送した前記フィードバック情報を受信することに用いられることを特徴とする請求項５３に記載のネットワーク機器。
【請求項５７】
前記指示情報が前記フィードバック情報の伝送に使用されるＰＵＣＣＨのフォーマット及び／又はリソースの情報を示し、前記受信モジュールは、具体的に、
前記端末装置が第３フィードバックモードで伝送した前記フィードバック情報を受信することに用いられ、前記第３フィードバックモードが前記ＰＵＣＣＨのフォーマット及び／又はリソースの情報に基づいて決定されたものであることを特徴とする請求項５３に記載のネットワーク機器。
【請求項５８】
前記受信モジュールは、具体的に、
前記ＰＵＣＣＨのフォーマット及び／又はリソースの情報が１つの確認／否定確認ＡＣＫ／ＮＡＣＫを伝送するフォーマット及び／又はリソースを示す場合、前記端末装置が１ビットのＡＣＫ／ＮＡＣＫを用いてフィードバックしたフィードバック情報を受信し、又は
前記ＰＵＣＣＨのフォーマット及び／又はリソースの情報が複数のＡＣＫ／ＮＡＣＫを伝送するフォーマット及び／又はリソースを示す場合、前記端末装置が複数のビットのＡＣＫ／ＮＡＣＫを用いてフィードバックした前記フィードバック情報を受信することに用いられることを特徴とする請求項５７に記載のネットワーク機器。
【請求項５９】
前記送信モジュールは、具体的に、
前記指示情報を含む高層シグナリングを前記端末装置に送信することに用いられることを特徴とする請求項５２〜５８のいずれか１項に記載のネットワーク機器。
【請求項６０】
前記高層シグナリングが無線リソース制御ＲＲＣシグナリングであることを特徴とする請求項５９に記載のネットワーク機器。
【請求項６１】
前記送信モジュールは、更に、
前記フィードバック情報を伝送するための物理アップリンク制御チャネルＰＵＣＣＨのリソースの情報を前記ネットワーク機器に送信することに用いられ、前記ＰＵＣＣＨのリソースによって前記端末装置が前記複数のフィードバックモードのうちのいずれか１つのフィードバックモードで伝送する前記フィードバック情報を伝送することができ、
前記受信モジュールは、具体的に、
前記端末装置が前記目標フィードバックモードを使用して伝送したフィードバック情報を受信することに用いられ、前記ネットワーク機器が前記端末装置の前記ＰＵＣＣＨリソースにおいて前記目標フィードバックモードを使用して伝送した前記フィードバック情報を受信することを含むことを特徴とする請求項５３〜５５のいずれか１項に記載のネットワーク機器。
【請求項６２】
前記受信モジュールは、具体的に、
前記端末装置がデータチャネル及び／又は制御チャネルにおいて前記目標フィードバックモードを使用して伝送した前記フィードバック情報を受信することに用いられることを特徴とする請求項５２〜６１のいずれか１項に記載のネットワーク機器。
【請求項６３】
前記目標フィードバックモードは第１目標フィードバックモードと第２目標フィードバックモードを含み、前記受信モジュールは、具体的に、
前記端末装置が前記データチャネルにおいて前記第１目標フィードバックモードを使用して伝送した前記フィードバック情報を受信し、前記端末装置が前記制御チャネルにおいて前記第２目標フィードバックモードを使用して伝送した前記フィードバック情報を受信することに用いられることを特徴とする請求項６２に記載のネットワーク機器。
【請求項６４】
前記受信モジュールは、具体的に、
前記端末装置がメディアアクセス制御ＭＡＣ制御要素ＣＥにおいて前記第１目標フィードバックモードを使用してフィードバックした前記フィードバック情報を受信することに用いられることを特徴とする請求項６３に記載のネットワーク機器。
【請求項６５】
前記送信モジュールは、更に、
アップリンクデータチャネルを伝送するためのリソースの情報を前記端末装置に送信することに用いられ、
前記受信モジュールは、具体的に、
前記端末装置がアップリンクデータチャネルを伝送するためのリソースにおいて前記目標フィードバックモードを使用して伝送した前記フィードバック情報を受信することに用いられることを特徴とする請求項６１〜６４のいずれか１項に記載のネットワーク機器。
【請求項６６】
前記目標フィードバックモードは、
前記ＴＢに対して１ビットのＡＣＫ／ＮＡＣＫを用いてフィードバックするモード、複数のＴＢに対して１ビットのＡＣＫ／ＮＡＣＫを用いてフィードバックするモード、前記ＴＢにおける一部又は全部のＣＢに対してビットマッピング方式でフィードバックするモードのうちの１つを含み、前記複数のＴＢが前記ＴＢを含むことを特徴とする請求項５２〜６５のいずれか１項に記載のネットワーク機器。
【発明の詳細な説明】
【技術分野】
【０００１】
本願の実施例は通信分野に関し、より具体的に、フィードバック情報伝送方法、端末装置及びネットワーク機器に関する。
【背景技術】
【０００２】
５Ｇシステムにおいて、コードブロック（ＣＢ：Ｃｏｄｅ  Ｂｌｏｃｋ）を使用して再伝送する方法が検討されており、つまり、１つの伝送ブロック（ＴＢ：ｔｒａｎｓｐｏｒｔ  ｂｌｏｃｋ）において一部のＣＢの受信に失敗した場合、送信側が受信に失敗したＣＢ又はコードブロックグループ（ＣＢＧ：Ｃｏｄｅ  Ｂｌｏｃｋ  Ｇｒｏｕｐ）のみを再伝送してもよい。このような再伝送方法に対して、端末が複数のビット（ｂｉｔ）の確認／否定決定（ＡＣＫ／ＮＡＣＫ：ＡＣＫｎｏｗｌｅｄｇｅｍｅｎｔ  ／Ｎｅｇａｔｉｖｅ  ＡＣＫｎｏｗｌｅｄｇｅｍｅｎｔ）をフィードバックしてＴＢにおける複数のＣＢに対応するする必要があり、このようなフィードバック方法はフィードバックオーバーヘッドを増加させることにより伝送リソースの利用率を向上させる。従って、フィードバック情報伝送モードを動的に調整することにより、フィードバックオーバーヘッドと伝送リソースの利用率を総合的に考慮することのできる方法を必要とする。
【発明の概要】
【発明が解決しようとする課題】
【０００３】
本願の実施例は、フィードバック情報伝送モードを動的に調整することにより、フィードバックオーバーヘッドと伝送リソースの利用率を総合的に考慮することのできるフィードバック情報伝送方法、端末装置及びネットワーク機器を提供する。
【課題を解決するための手段】
【０００４】
第１態様には通信方法を提供し、端末装置はフィードバック情報の伝送に使用される目標フィードバックモードを決定し、前記フィードバック情報は前記端末装置が受信したネットワーク機器から送信された伝送ブロックＴＢに対するフィードバック情報であることと、前記端末装置は前記目標フィードバックモードを使用して前記フィードバック情報を伝送することと、を含む。
【０００５】
選択肢として、端末装置は前記ＴＢの受信状況に応じてフィードバック情報の伝送に使用されるフィードバックモードを決定することができ、つまり、端末装置はどのフィードバックモードを選択するかを自己決定することができ、又は、前記端末装置は更にネットワーク機器の指示情報に基づいてフィードバック情報の伝送に使用される目標フィードバックモードを決定することができ、つまり、ネットワーク機器が前記端末装置のためにどのフィードバックモードでフィードバックするかを設定する。
【０００６】
第１態様を参照して、第１態様のいくつかの実現方式では、前記端末装置がフィードバック情報の伝送に使用される目標フィードバックモードを決定することは、前記端末装置が前記ＴＢの受信状況に応じて前記目標フィードバックモードを決定することを含む。
【０００７】
第１態様を参照して、第１態様のいくつかの実現方式では、前記端末装置が前記ＴＢの受信状況に応じて前記目標フィードバックモードを決定することは、前記端末装置が前記ＴＢの受信状況に応じて予め設定された複数のフィードバックモードから前記目標フィードバックモードを決定することを含む。
【０００８】
選択肢として、端末装置は複数のフィードバックモードを自己設定することができ、選択肢として、前記複数のフィードバックモードがネットワーク機器により設定されてもよく、又は、前記複数のフィードバックモードが協議によって合議されてもよく、本願の実施例は前記複数のフィードバックモードの設定方式を制限しない。
【０００９】
第１態様を参照して、第１態様のいくつかの実現方式では、前記方法は、更に、前記端末装置が前記ネットワーク機器から送信された、前記ネットワーク機器により予め設定された前記複数のフィードバックモードを含む高層シグナリングを受信することを含む。
【００１０】
つまり、前記ネットワーク機器は高層シグナリングを介して前記端末装置のために複数のフィードバックモードを設定することができ、選択肢として、前記高層シグナリングが無線リソース制御シグナリングＲＲＣシグナリングであってもよい。本願の実施例は該複数のフィードバックモードの送信方式を具体的に制限せず、例えば、物理層シグナリング又はＭＡＣ層を介して送信し、又は他の専有のシグナリングを介して送信してもよい。
【００１１】
第１態様を参照して、第１態様のいくつかの実現方式では、前記端末装置が前記ＴＢの受信状況に応じて前記目標フィードバックモードを決定することは、前記端末装置が第１パラメータに基づいて前記目標フィードバックモードを決定し、前記第１パラメータが前記ＴＢにおける受信に成功した又は受信に失敗したコードブロックＣＢの個数、又は、受信に成功した又は受信に失敗したＣＢの総ＣＢでの比率を示すことを含む。
【００１２】
選択肢として、いくつかの実施例では、前記端末装置は前記ＴＢにおける受信に成功したＣＢの前記ＴＢに含まれる総ＣＢでの比率が第１比率閾値より大きく、又は受信に成功したＣＢの数が第１数量閾値より大きいとき、ビットマッピング（ｂｉｔｍａｐ）方式でフィードバックすると決定することができ、この場合、多くのＣＢの受信に成功し、ｂｉｔｍａｐ方式でフィードバックすると決定し、それによりネットワーク機器にどのＣＢの受信に失敗したかを通知することができ、ネットワーク機器が受信に失敗したＣＢを再伝送すればよく、従って、伝送リソースの利用率を向上させることができる。
【００１３】
選択肢として、前記端末装置は前記ＴＢにおける受信に失敗したＣＢの比率が第２比率閾値より大きく、又は受信に失敗したＣＢの数が第２数量閾値より大きいとき、１ビットのフィードバック情報を使用してフィードバックすると決定することができ、このような場合、多くのデータの受信に失敗し、ビットマッピング方式でフィードバックしても、ネットワーク機器が依然として多くのＣＢを再伝送する必要があり、従って、フィードバックオーバーヘッドを犠牲にしたが、伝送リソースの利用率を大幅に向上できず、この場合、１ビットのフィードバック情報を用いてフィードバックすれば、フィードバックオーバーヘッドを減少させる。
【００１４】
第１態様を参照して、第１態様のいくつかの実現方式では、前記端末装置が第１パラメータに基づいて前記目標フィードバックモードを決定することは、前記端末装置が複数の範囲から前記第１パラメータに対応する第１範囲を決定し、前記複数の範囲が１つのＴＢにおける受信に成功した又は受信に失敗したＣＢの個数範囲、又は、１つのＴＢにおける受信に成功した又は受信に失敗したＣＢの総ＣＢでの比率範囲であることと、前記端末装置が前記第１範囲及び予め設定された前記複数の範囲と複数のフィードバックモードとの対応関係に基づいて前記目標フィードバックモードを決定することと、を含む。
【００１５】
選択肢として、前記端末装置は複数の範囲と複数のフィードバックモードとの対応関係を予め設定することができ、前記対応関係は前記端末装置が自己決定したものであってもよく、前記ネットワーク機器が前記端末装置のために設定したものであってもよく、協議によって合議されたものであってもよく、本願の実施例は前記対応関係の設定方式を制限しない。
【００１６】
第１態様を参照して、第１態様のいくつかの実現方式では、前記方法は、更に、前記端末装置が前記ネットワーク機器から送信された、前記ネットワーク機器により予め設定された前記対応関係を含む高層シグナリングを受信することを含む。
【００１７】
つまり、前記ネットワーク機器は高層シグナリングを介して前記端末装置のために前記対応関係を設定することができ、選択肢として、前記高層シグナリングがＲＲＣシグナリングであってもよい。本願の実施例は該対応関係の送信方式を具体的に制限せず、例えば、物理層シグナリング又はＭＡＣ層を介して送信し、又は他の専有のシグナリングを介して送信してもよい。
【００１８】
第１態様を参照して、第１態様のいくつかの実現方式では、前記方法は、更に、前記端末装置が前記ネットワーク機器から送信された、前記フィードバック情報を伝送するための物理アップリンク制御チャネルＰＵＣＣＨのリソースの情報を受信し、前記ＰＵＣＣＨのリソースによって前記端末装置が前記複数のフィードバックモードのうちのいずれか１つのフィードバックモードを使用して伝送する前記フィードバック情報を伝送することができることを含み、前記端末装置が前記目標フィードバックモードを使用して前記フィードバック情報を伝送することは、前記端末装置が前記ＰＵＣＣＨのリソースにおいて前記目標フィードバックモードを使用して前記フィードバック情報を伝送することを含む。
【００１９】
第１態様を参照して、第１態様のいくつかの実現方式では、前記端末装置がフィードバック情報の伝送に使用される目標フィードバックモードを決定することは、
前記端末装置がネットワーク機器から送信された指示情報を受信することと、
前記端末装置が前記指示情報に基づいて前記目標フィードバックモードを決定することと、を含む。
【００２０】
第１態様を参照して、第１態様のいくつかの実現方式では、前記指示情報が前記フィードバック情報の伝送に使用されるＰＵＣＣＨのフォーマット及び／又はリソースの情報を示し、前記端末装置が前記指示情報に基づいて前記目標フィードバックモードを決定することは、
前記端末装置が前記ＰＵＣＣＨのフォーマット及び／又はリソースの情報に基づいて前記目標フィードバックモードを決定することを含み、
前記端末装置が前記目標フィードバックモードを使用して前記フィードバック情報を伝送することは、
前記ＰＵＣＣＨのフォーマット及び／又はリソースを使用して前記フィードバック情報を伝送することを含む。
【００２１】
第１態様を参照して、第１態様のいくつかの実現方式では、前記端末装置が前記ＰＵＣＣＨのフォーマット及び／又はリソースの情報に基づいて前記目標フィードバックモードを決定することは、
前記ＰＵＣＣＨのフォーマット及び／又はリソースの情報が１つの確認／否定確認ＡＣＫ／ＮＡＣＫを伝送するフォーマット及び／又はリソースを示す場合、前記端末装置が前記ＴＢに対して１ビットのＡＣＫ／ＮＡＣＫを用いることを目標フィードバックモードとして決定すること、又は
前記ＰＵＣＣＨのフォーマット及び／又はリソースの情報が複数のＡＣＫ／ＮＡＣＫを伝送するフォーマット及び／又はリソースを示す場合、前記端末装置が前記ＴＢに対して複数のビットのＡＣＫ／ＮＡＣＫを用いることを目標フィードバックモードとして決定することを含む。
【００２２】
第１態様を参照して、第１態様のいくつかの実現方式では、前記指示情報は前記端末装置が前記フィードバック情報を伝送するフィードバックモードを示し、前記端末装置が前記指示情報に基づいて前記目標フィードバックモードを決定することは、
前記端末装置が指示情報の示す前記フィードバック情報を伝送するフィードバックモードを前記目標フィードバックモードとして決定することを含む。
【００２３】
第１態様を参照して、第１態様のいくつかの実現方式では、前記方法は、更に、前記端末装置が前記ネットワーク機器から送信された、前記指示情報を含む第１シグナリングを受信し、前記第１シグナリングが物理層シグナリング、ＭＡＣ層シグナリング又は高層シグナリングであることを含む。
【００２４】
第１態様を参照して、第１態様のいくつかの実現方式では、前記端末装置が前記目標フィードバックモードを使用して前記フィードバック情報を伝送することは、前記端末装置がデータチャネル及び／又は制御チャネルにおいて、前記目標フィードバックモードを使用して前記フィードバック情報を伝送することを含む。
【００２５】
第１態様を参照して、第１態様のいくつかの実現方式では、前記目標フィードバックモードは第１フィードバックモードと第２フィードバックモードを含み、前記端末装置がデータチャネル及び／又は制御チャネルにおいて、前記目標フィードバックモードを使用してフィードバックモードを伝送することは、前記データチャネルにおいて前記第１フィードバックモードで前記フィードバック情報を伝送し、前記制御チャネルにおいて前記第２フィードバックモードで前記フィードバック情報を伝送することを含む。
【００２６】
第１態様を参照して、第１態様のいくつかの実現方式では、前記データチャネルにおいて前記第１フィードバックモードで前記フィードバック情報を伝送することは、前記端末装置がメディアアクセス制御ＭＡＣ制御要素ＣＥにおいて前記第１フィードバックモードでフィードバックすることを含む。
【００２７】
第１態様を参照して、第１態様のいくつかの実現方式では、前記方法は、更に、
前記端末装置がネットワーク機器から送信された、アップリンクデータチャネルを伝送するためのリソースの情報を受信することを含み、
前記端末装置がデータチャネル及び／又は制御チャネルにおいて前記目標フィードバックモードを使用してフィードバックモードを伝送することは、前記端末装置が前記アップリンクデータチャネルを伝送するためのリソースにおいて、前記目標フィードバックモードを使用して前記フィードバック情報を伝送することを含む。
【００２８】
第１態様を参照して、第１態様のいくつかの実現方式では、前記目標フィードバックモードは、
前記ＴＢに対して１ビットのＡＣＫ／ＮＡＣＫを用いてフィードバックするモード、複数のＴＢに対して１ビットのＡＣＫ／ＮＡＣＫを用いてフィードバックするモード、前記ＴＢにおける一部又は全部のＣＢに対してビットマッピング方式でフィードバックするモードのうちの１つを含み、前記複数のＴＢが前記ＴＢを含む。
【００２９】
第２態様にはフィードバック情報伝送方法を提供し、ネットワーク機器が前記端末装置へ指示情報を送信し、前記指示情報は前記端末装置がフィードバック情報の伝送に使用される目標フィードバックモードを決定することに用いられ、前記フィードバック情報は前記端末装置が受信した前記ネットワーク機器から送信された伝送ブロックＴＢに対するフィードバック情報であることと、前記ネットワーク機器は前記端末装置が前記目標フィードバックモードを使用して伝送したフィードバック情報を受信することと、を含む。
【００３０】
第２態様を参照して、第２態様のいくつかの実現方式では、前記指示情報は、
複数のフィードバックモード、複数の範囲と複数のフィードバックモードとの対応関係、前記フィードバック情報の伝送に使用される物理アップリンク制御チャネルＰＵＣＣＨのフォーマット及び／又はリソースの情報、前記端末装置が前記フィードバック情報を伝送するフィードバックモードのうちの少なくとも１つを示し、前記複数の範囲が１つのＴＢにおける受信に成功した又は受信に失敗したＣＢの個数範囲、又は、１つのＴＢにおける受信に成功した又は受信に失敗したＣＢの総ＣＢでの比率範囲である。
【００３１】
第２態様を参照して、第２態様のいくつかの実現方式では、前記指示情報が前記複数のフィードバックモードを示し、前記ネットワーク機器が前記端末装置が前記目標フィードバックモードを使用して伝送したフィードバック情報を受信することは、前記ネットワーク機器が前記端末装置が第１フィードバックモードで伝送したフィードバック情報を受信することを含み、前記第１フィードバックモードは端末装置が前記ＴＢの受信状況に応じて前記複数のフィードバックモードから決定されたものである。
【００３２】
第２態様を参照して、第２態様のいくつかの実現方式では、前記指示情報が複数の範囲と複数のフィードバックモードとの対応関係を示し、前記ネットワーク機器が前記端末装置が前記目標フィードバックモードを使用して伝送したフィードバック情報を受信することは、前記ネットワーク機器が前記端末装置が第２フィードバックモードで伝送したフィードバック情報を受信することを含み、前記第２フィードバックモードは端末装置が第１範囲及び前記対応関係に基づいて決定されたものであり、前記第１範囲が第１パラメータに対応する範囲であり、前記第１パラメータが前記ＴＢにおける受信に成功した又は受信に失敗したコードブロックＣＢの個数、又は、受信に成功した又は受信に失敗したＣＢの総ＣＢでの比率を示す。
【００３３】
第２態様を参照して、第２態様のいくつかの実現方式では、前記指示情報は前記端末装置が前記フィードバック情報を伝送するフィードバックモードを示し、前記ネットワーク機器が前記端末装置が前記目標フィードバックモードを使用して伝送したフィードバック情報を受信することは、前記ネットワーク機器が前記端末装置が前記指示情報の示す前記フィードバック情報を伝送するフィードバックモードで伝送した前記フィードバック情報を受信することを含む。
【００３４】
第２態様を参照して、第２態様のいくつかの実現方式では、前記指示情報が前記フィードバック情報の伝送に使用されるＰＵＣＣＨのフォーマット及び／又はリソースの情報を示し、前記ネットワーク機器が前記端末装置が前記目標フィードバックモードを使用して伝送したフィードバック情報を受信することは、前記ネットワーク機器が前記端末装置が第３フィードバックモードで伝送した前記フィードバック情報を受信することを含み、前記第３フィードバックモードが前記ＰＵＣＣＨのフォーマット及び／又はリソースの情報に基づいて決定されたものである。
【００３５】
第２態様を参照して、第２態様のいくつかの実現方式では、前記ネットワーク機器が前記端末装置が第３フィードバックモードで伝送した前記フィードバック情報を受信することは、
前記ＰＵＣＣＨのフォーマット及び／又はリソースの情報が１つの確認／否定確認ＡＣＫ／ＮＡＣＫを伝送するフォーマット及び／又はリソースを示す場合、前記ネットワーク機器が前記端末装置が１ビットのＡＣＫ／ＮＡＣＫを用いてフィードバックしたフィードバック情報を受信すること、又は
前記ＰＵＣＣＨのフォーマット及び／又はリソースの情報が複数のＡＣＫ／ＮＡＣＫを伝送するフォーマット及び／又はリソースを示す場合、前記ネットワーク機器が前記端末装置が複数のビットのＡＣＫ／ＮＡＣＫを用いてフィードバックした前記フィードバック情報を受信することを含む。
【００３６】
第２態様を参照して、第２態様のいくつかの実現方式では、前記ネットワーク機器が前記端末装置へ指示情報を送信することは、前記ネットワーク機器が前記指示情報を含む高層シグナリングを前記端末装置に送信することを含む。
【００３７】
第２態様を参照して、第２態様のいくつかの実現方式では、前記高層シグナリングが無線リソース制御ＲＲＣシグナリングである。
【００３８】
第２態様を参照して、第２態様のいくつかの実現方式では、前記方法は、更に、前記ネットワーク機器が前記フィードバック情報を伝送するための物理アップリンク制御チャネルＰＵＣＣＨのリソースの情報を前記ネットワーク機器に送信し、前記ＰＵＣＣＨのリソースによって前記端末装置が前記複数のフィードバックモードのうちのいずれか１つのフィードバックモードで伝送する前記フィードバック情報を伝送することができることを含み、
前記ネットワーク機器が前記端末装置が前記目標フィードバックモードを使用して伝送したフィードバック情報を受信することは、前記ネットワーク機器が前記端末装置の前記ＰＵＣＣＨリソースにおいて前記目標フィードバックモードを使用して伝送した前記フィードバック情報を受信することを含む。
【００３９】
第２態様を参照して、第２態様のいくつかの実現方式では、前記ネットワーク機器が前記端末装置が前記目標フィードバックモードを使用して伝送したフィードバック情報を受信することは、前記ネットワーク機器が前記端末装置のデータチャネル及び／又は制御チャネルにおいて前記目標フィードバックモードを使用して伝送した前記フィードバック情報を受信することを含む。
【００４０】
第２態様を参照して、第２態様のいくつかの実現方式では、前記目標フィードバックモードは第１目標フィードバックモードと第２目標フィードバックモードを含み、前記ネットワーク機器が前記端末装置のデータチャネル及び／又は制御チャネルにおいて前記目標フィードバックモードを使用して伝送した前記フィードバック情報を受信することは、前記ネットワーク機器が前記端末装置の前記データチャネルにおいて前記第１目標フィードバックモードを使用して伝送した前記フィードバック情報を受信することと、前記ネットワーク機器が前記端末装置の前記制御チャネルにおいて前記第２目標フィードバックモードを使用して伝送した前記フィードバック情報を受信することと、を含む。
【００４１】
第２態様を参照して、第２態様のいくつかの実現方式では、前記ネットワーク機器が前記端末装置の前記データチャネルにおいて前記第１目標フィードバックモードを使用して伝送した前記フィードバック情報を受信することは、前記ネットワーク機器が前記端末装置のメディアアクセス制御ＭＡＣ制御要素ＣＥにおいて前記第１目標フィードバックモードを使用してフィードバックした前記フィードバック情報を受信することを含む。
【００４２】
第２態様を参照して、第２態様のいくつかの実現方式では、前記方法は、更に、前記ネットワーク機器がアップリンクデータチャネルを伝送するためのリソースの情報を前記端末装置に送信することを含み、前記ネットワーク機器が前記端末装置のデータチャネル及び／又は制御チャネルにおいて前記目標フィードバックモードを使用して伝送した前記フィードバック情報を受信することは、前記ネットワーク機器が前記端末装置の、アップリンクデータチャネルを伝送するためのリソースにおいて前記目標フィードバックモードを使用して伝送した前記フィードバック情報を受信することを含む。
【００４３】
第２態様を参照して、第２態様のいくつかの実現方式では、前記目標フィードバックモードは、
前記ＴＢに対して１ビットのＡＣＫ／ＮＡＣＫを用いてフィードバックするモード、複数のＴＢに対して１ビットのＡＣＫ／ＮＡＣＫを用いてフィードバックするモード、前記ＴＢにおける一部又は全部のＣＢに対してビットマッピング方式でフィードバックするモードのうちの１つを含み、前記複数のＴＢが前記ＴＢを含む。
【００４４】
第３態様には端末装置を提供し、第１態様又はその様々な実現方式における方法を実行するためのユニットを備える。
【００４５】
第４態様はネットワーク機器を提供し、第２態様又はその様々な実現方式における方法を実行するためのユニットを備える。
【００４６】
第５態様には端末装置を提供し、メモリ、プロセッサ及び送受信機を備え、前記メモリはプログラムを記憶することに用いられ、前記プロセッサはプログラムを実行することに用いられ、前記プログラムが実行されるとき、前記プロセッサは前記送受信機によって第１態様における方法を実行する。
【００４７】
第６態様にはネットワーク機器を提供し、メモリ、プロセッサ及び送受信機を備え、前記メモリはプログラムを記憶することに用いられ、前記プロセッサはプログラムを実行することに用いられ、前記プログラムが実行されるとき、前記プロセッサは前記送受信機によって第２態様における方法を実行する。
【００４８】
第７態様にはコンピュータ可読媒体を提供し、前記コンピュータ可読媒体には端末装置が実行するためのプログラムコードが記憶され、前記プログラムコードは第１態様における方法を実行するための命令を含む。
【００４９】
第８態様にはコンピュータ可読媒体を提供し、前記コンピュータ可読媒体には端末装置が実行するためのプログラムコードが記憶され、前記プログラムコードは第２態様における方法を実行するための命令を含む。
【図面の簡単な説明】
【００５０】
【図１】図１は本願の実施例に係る無線通信システムの模式図である。
【図２】図２は本願の実施例に係るフィードバック情報伝送方法の模式的なフローチャートである。
【図３】図３は本願の他の実施例に係るフィードバック情報伝送方法の模式的なフローチャートである。
【図４】図４は本願の実施例に係る端末装置の模式的なブロック図である。
【図５】図５は本願の実施例に係るネットワーク機器の模式的なブロック図である。
【図６】図６は本願の実施例に係る端末装置の他の例の模式的なブロック図である。
【図７】図７は本願の実施例に係るネットワーク機器の他の例の模式的なブロック図である。
【発明を実施するための形態】
【００５１】
以下、本願の実施例の図面を参照しながら、本願の実施例の技術案を説明する。
【００５２】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００５３】
図１には本願の実施例に適用される無線通信システム１００を示す。該無線通信システム１００はネットワーク機器１１０を備えてもよい。ネットワーク機器１００は端末装置と通信する機器であってもよい。ネットワーク機器１００は特定の地理的領域に通信カバレッジを提供することができ、且つ該カバレッジ領域内にある端末装置（例えば、ＵＥ）と通信することができる。選択肢として、該ネットワーク機器１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、更にＬＴＥシステムにおける発展型基地局（ｅＮＢ又はｅＮｏｄｅＢ：Ｅｖｏｌｕｔｉｏｎａｌ  Ｎｏｄｅ  Ｂ）又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は該ネットワーク機器は中継所、アクセスポイント、車載装置、ウェアラブル端末、将来の５Ｇネットワークにおけるネットワーク側機器又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク機器等であってもよい。
【００５４】
該無線通信システム１００は更にネットワーク機器１１０のカバレッジ範囲内にある少なくとも１つの端末装置１２０を備える。端末装置１２０は可動又は固定であってもよい。選択肢として、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００５５】
選択肢として、５Ｇシステム又はネットワークは更に新無線（ＮＲ：Ｎｅｗ  Ｒａｄｉｏ）システム又はネットワークと称されてもよい。
【００５６】
図１には１つのネットワーク機器及び２つの端末装置を例示的に示し、選択肢として、該無線通信システム１００は複数のネットワーク機器を備えてもよく、且つ各ネットワーク機器のカバレッジ範囲内には他の数の端末装置が含まれてもよく、本願の実施例は制限しない。
【００５７】
選択肢として、該無線通信システム１００は更にネットワーク制御装置、モビリティ管理エンティティ等の他のネットワークエンティティを備えてもよく、本願の実施例は制限しない。
【００５８】
本明細書における用語「システム」と「ネットワーク」は常に交換して使用される可能と理解すべきである。本明細書における用語「及び／又は」は、関連オブジェクトを説明する関連関係に過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００５９】
図２は本願の実施例に係るフィードバック情報伝送方法２００の模式的なフローチャートである。図２に示すように、該方法２００は以下の内容を含む。
【００６０】
Ｓ２１０、端末装置はフィードバック情報の伝送に使用される目標フィードバックモードを決定し、前記フィードバック情報は前記端末装置が受信したネットワーク機器から送信された伝送ブロックＴＢに対するフィードバック情報である。
Ｓ２２０、前記端末装置は前記目標フィードバックモードを使用して前記フィードバック情報を伝送する。
【００６１】
具体的には、端末装置はネットワーク機器から送信されたＴＢを受信することができ、前記ＴＢに対するフィードバック情報を決定するとき、端末装置はフィードバック情報の伝送に使用されるフィードバックモードを動的に調整することができる。選択肢として、端末装置は前記ＴＢの受信状況に応じてフィードバック情報の伝送に使用されるフィードバックモードを決定することができ、例えば、前記端末装置は前記ＴＢにおける受信に成功したＣＢの前記ＴＢに含まれる総ＣＢでの比率が第１比率閾値より大きく、又は受信に成功したＣＢの数が第１数量閾値より大きいとき、ビットマッピング（ｂｉｔｍａｐ）方式でフィードバックし、つまり前記ＴＢにおけるすべてのＣＢのフィードバック情報をフィードバックすると決定することができ、それによりネットワーク機器は前記フィードバック情報に基づいてどのＣＢの受信に失敗したかを決定することができ、従って、受信に失敗したＣＢのみを再伝送し、それにより伝送リソースの利用率を向上させることができる。このような場合、受信に成功したＣＢの数がより多く、１ビットのフィードバック情報を用いる場合、ネットワーク機器はどのＣＢの受信に成功したか、どのＣＢの受信に失敗したかを把握できず、再伝送する時にすべてのＣＢを再伝送する必要があり、従って、伝送リソースの利用率が低下してしまう。選択肢として、前記端末装置は前記ＴＢの受信に失敗したＣＢの比率が第２比率閾値より大きく、又は受信に失敗したＣＢの数が第２数量閾値より大きいとき、１ビットのフィードバック情報を使用してフィードバックし、つまり前記ＴＢに対して１ビットのフィードバック情報をフィードバックすると決定することができ、ネットワーク機器は１ビットのフィードバック情報を受信した後、すべてのＴＢを再伝送することができ、このような場合、前記ＴＢにおける多くのデータの受信に失敗し、つまり、多くのデータを再伝送する必要があるため、ビットマッピング方式でフィードバックしても、ネットワーク機器が依然として多くのデータを再伝送する必要があり、従って、フィードバックオーバーヘッドを増加させるが、伝送リソースの利用率を効果的に向上できない。従って、本願の実施例のフィードバック情報伝送方法はフィードバック情報の伝送に使用されるフィードバックモードを動的に調整することができ、それによりフィードバックオーバーヘッドと伝送リソースの利用率を総合的に考慮することができる。
【００６２】
選択肢として、いくつかの実施例では、前記端末装置は更にネットワーク機器の指示情報に基づいてフィードバック情報の伝送に使用される目標フィードバックモードを決定することができ、前記指示情報は前記端末装置がどのフィードバックモードでフィードバックするかを直接示すことができ、又は前記ネットワーク機器は更に前記端末装置のために複数のフィードバックモードを予め設定することができ、前記端末装置は前記予め設定された複数のフィードバックモードからフィードバック情報の伝送に使用されるフィードバックモードを決定することができ、例えば、ネットワーク機器は１ｂｉｔのＡＣＫ又はＮＡＣＫを用いてフィードバックするモード、複数のｂｉｔのＡＣＫ又はＮＡＣＫを用いてフィードバックするモード、例えばビットマッピング方式で前記ＴＢに含まれる一部又は全部のＣＢをフィードバックするモードを設定してもよい。端末装置はＴＢの受信状況に応じて前記複数のフィードバックモードからどのフィードバックモードを使用するかを決定することができ、例えば、端末装置は前記ＴＢの受信に成功した比率がある比率より大きく、例えば９０％であるとき、マルチビットのフィードバック情報を使用してフィードバックすると決定することができ、又は端末装置は受信に失敗した個数が個数閾値より大きく、例えば５つであるとき、１ビットのフィードバック情報を使用してフィードバックすると決定することができる。
【００６３】
つまり、端末装置がどのフィードバックモードを選択するかを自己決定してもよいし、ネットワーク機器が前記端末装置のためにどのフィードバックモードでフィードバックするかを設定してもよい。
【００６４】
制限ではなく例として、前記目標フィードバックモードは、
前記ＴＢに対して１ビットのＡＣＫ／ＮＡＣＫを用いてフィードバックするモード、複数のＴＢに対して１ビットのＡＣＫ／ＮＡＣＫを用いてフィードバックするモード、前記ＴＢにおける一部又は全部のＣＢに対してビットマッピング方式でフィードバックするモードのうちの少なくとも１つを含む。
【００６５】
前記ＴＢに対して１ビットのＡＣＫ／ＮＡＣＫを用いてフィードバックするモードは「モード１」と略称され、複数のＴＢに対して１ビットのＡＣＫ／ＮＡＣＫを用いてフィードバックするモードは「モード２」と略称され、前記ＴＢにおける一部のＣＢに対してビットマッピング方式でフィードバックするモードは「モード３」と略称され、前記ＴＢにおける全部のＣＢに対してビットマッピング方式でフィードバックするモードは「モード４」と略称される。
【００６６】
選択肢として、いくつかの実施例では、前記端末装置がフィードバック情報の伝送に使用される目標フィードバックモードを決定することは、
前記端末装置が前記ＴＢの受信状況に応じて前記目標フィードバックモードを決定することを含む。
【００６７】
具体的に、端末装置は前記ＴＢの受信状況に応じてフィードバック情報の伝送に使用される目標フィードバックモードを決定することができ、例えば、端末装置は前記ＴＢにおける受信に成功したＣＢの比率が第１比率閾値より大きいとき、ｂｉｔｍａｐ方式でフィードバックすると決定することができ、又は、前記ＴＢにおける受信に失敗した比率が第２比率閾値より大きいとき、１ビットのＮＡＣＫを使用してフィードバックすると決定することができる。つまり、端末装置はＴＢの受信状況に応じていくつのビットのフィードバック情報を使用してフィードバックするかを自己決定することができる。
【００６８】
選択肢として、いくつかの実施例では、前記端末装置が前記ＴＢの受信状況に応じて前記目標フィードバックモードを決定することは、
前記端末装置が前記ＴＢの受信状況に応じて予め設定された複数のフィードバックモードから前記目標フィードバックモードを決定することを含む。
【００６９】
具体的には、端末装置は複数のフィードバックモードを自己設定することができ、選択肢として、前記複数のフィードバックモードが更にネットワーク機器により設定されてもよく、又は、前記複数のフィードバックモードが更に協議によって合議されてもよく、本願の実施例は前記複数のフィードバックモードの設定方式を制限しない。前記端末装置は前記ＴＢの受信状況に応じて予め設定された複数のフィードバックモードから前記目標フィードバックモードを決定することができる。制限ではなく例として、前記複数のフィードバックモードはモード１〜モード４を含み、前記端末装置は前記ＴＢの受信状況に応じて前記モード１〜モード４から目標フィードバックモードを決定することができ、例えば、端末装置は受信に成功したＣＢの総ＣＢでの比率が第１比率閾値より大きく、例えば９０％であるとき、モード４でフィードバック情報を伝送し、つまりビットマッピング方式でフィードバックすると決定することができる。又は、端末装置は受信に失敗したＣＢの総ＣＢでの比率が第２比率閾値より大きく、例えば２０％であるとき、モード１でフィードバックし、つまり１ビットのＮＡＣＫを用いてフィードバックすると決定することができ、このような場合、多くのデータの受信に失敗し、ビットマッピング方式でフィードバックしても、ネットワーク機器が依然として多くのＣＢを再伝送する必要があり、従って、フィードバックオーバーヘッドを犠牲にしたが、伝送リソースの利用率を大幅に向上できず、この場合、１ビットのフィードバック情報を用いてフィードバックすれば、フィードバックオーバーヘッドを減少させる。
【００７０】
選択肢として、いくつかの実施例では、前記方法２００は、更に、
前記端末装置が前記ネットワーク機器から送信された、前記ネットワーク機器により予め設定された前記複数のフィードバックモードを含む高層シグナリングを受信することを含む。
【００７１】
つまり、前記ネットワーク機器は高層シグナリングを介して前記端末装置のために複数のフィードバックモードを設定することができ、選択肢として、前記高層シグナリングが無線リソース制御シグナリング（ＲＲＣ：Ｒａｄｉｏ  Ｒｅｓｏｕｒｃｅ  Ｃｏｎｔｒｏｌ）シグナリングであってもよい。本願の実施例は該複数のフィードバックモードの送信方式を具体的に制限せず、例えば、物理層シグナリング又はＭＡＣ層を介して送信し、又は他の専有のシグナリングを介して送信してもよい。
【００７２】
選択肢として、いくつかの実施例では、前記端末装置が前記ＴＢの受信状況に応じて前記目標フィードバックモードを決定することは、
前記端末装置が第１パラメータに基づいて前記目標フィードバックモードを決定し、前記第１パラメータが前記ＴＢにおける受信に成功した又は受信に失敗したコードブロックＣＢの個数、又は、受信に成功した又は受信に失敗したＣＢの総ＣＢでの比率を示すことを含む。
【００７３】
具体的に、前記端末装置は前記ＴＢにおける受信に成功した又は受信に失敗したＣＢの個数、又は、受信に成功した又は受信に失敗したＣＢの総ＣＢでの比率に基づいて目標フィードバックモードを決定することができ、例えば、前記端末装置は前記ＴＢにおける受信に成功したＣＢの個数が第１個数閾値より大きいとき、又は、前記ＴＢにおける受信に成功したＣＢの総ＣＢでの比率が第１比率閾値より大きいとき、ｂｉｔｍａｐ方式でフィードバックすると決定し、つまり多くのＣＢの受信に成功したとき、ｂｉｔｍａｐ方式でフィードバックすると決定することができ、それによりネットワーク機器にどのＣＢの受信に失敗したかを通知し、ネットワーク機器が受信に失敗したＣＢのみを再伝送すればよく、従って、伝送リソースの利用率を向上させることができる。又は、前記ＴＢにおける受信に失敗したＣＢの個数が第２個数閾値より大きいとき、１ビットのフィードバック情報を使用してフィードバックすると決定し、又は、前記ＴＢにおける受信に失敗したＣＢの比率が第２比率閾値より大きいとき、１ビットのフィードバック情報を使用してフィードバックすると決定し、つまり多くのＣＢの受信に失敗したとき、１ビットのＮＡＣＫを用いてフィードバックすると決定し、この場合、ｂｉｔｍａｐ方式でフィードバックしても、ネットワーク機器が依然として多くのＣＢを再伝送する必要があり、従って、フィードバックオーバーヘッドを犠牲にしたが、伝送リソースの利用率を大幅に向上できず、この場合、１ビットのフィードバック情報を用いてフィードバックすれば、フィードバックオーバーヘッドを減少させる。従って、本願の実施例のフィードバック情報伝送方法はフィードバックオーバーヘッドと伝送リソースの利用率を総合的に考慮することができる。
【００７４】
選択肢として、いくつかの実施例では、前記端末装置が第１パラメータに基づいて前記目標フィードバックモードを決定することは、
前記端末装置が複数の範囲から前記第１パラメータに対応する第１範囲を決定し、前記複数の範囲が１つのＴＢにおける受信に成功した又は受信に失敗したＣＢの個数範囲、又は、１つのＴＢにおける受信に成功した又は受信に失敗したＣＢの総ＣＢでの比率範囲であることと、
前記端末装置が前記第１範囲及び予め設定された前記複数の範囲と複数のフィードバックモードとの対応関係に基づいて前記目標フィードバックモードを決定することと、を含む。
【００７５】
具体的に、前記端末装置は複数の範囲と複数のフィードバックモードとの対応関係を予め設定することができ、前記対応関係は前記端末装置が自己決定したものであってもよく、前記ネットワーク機器が前記端末装置のために設定したものであってもよく、協議によって合議されたものであってもよく、本願の実施例は前記対応関係の設定方式を制限しない。
【００７６】
選択肢として、前記複数の範囲は１つのＴＢにおける受信に成功した又は受信に失敗したＣＢの個数範囲であってもよいし、１つのＴＢにおける受信に成功した又は受信に失敗したＣＢの総ＣＢでの比率範囲であってもよい。例えば、前記複数の範囲が受信に成功したＣＢの総ＣＢでの比率であり、前記複数の範囲は０〜９０％の範囲１、９０％〜１００％の範囲２を含んでもよく、複数のフィードバックモードはモード１とモード４を含んでもよく、範囲１がモード１に対応し、範囲２がモード４に対応し、又は、前記複数の範囲が受信に失敗したＣＢの個数であり、前記複数の範囲はモード４に対応する０〜５個の範囲１、モード１に対応する５個以上の範囲２を含んでもよい。前記端末装置は前記ＴＢの受信状況、つまり前記ＴＢにおける受信に成功した又は受信に失敗したＣＢの個数、又は、前記ＴＢにおける受信に成功した又は受信に失敗したＣＢの総ＣＢでの比率に応じて第１パラメータを決定することができ、次に、前記端末装置は前記第１パラメータが前記複数の範囲のうちのどの範囲にあるかを決定することができ、それにより前記対応関係に応じて前記第１パラメータの位置する範囲に対応するフィードバックモードを決定することができる。
【００７７】
選択肢として、いくつかの実施例では、前記方法は、更に、
前記端末装置が前記ネットワーク機器から送信された、前記ネットワーク機器により予め設定された前記対応関係を含む高層シグナリングを受信することを含む。
【００７８】
つまり、前記ネットワーク機器は高層シグナリングを介して前記端末装置のために前記対応関係を設定することができ、選択肢として、前記高層シグナリングがＲＲＣシグナリングであってもよい。本願の実施例は該対応関係の送信方式を具体的に制限せず、例えば、物理層シグナリング又はＭＡＣ層を介して送信し、又は他の専有のシグナリングを介して送信してもよい。
【００７９】
選択肢として、いくつかの実施例では、前記方法２００は、更に、
前記端末装置が前記ネットワーク機器から送信された、前記フィードバック情報を伝送するための物理アップリンク制御チャネルＰＵＣＣＨのリソースの情報を受信し、前記ＰＵＣＣＨのリソースによって前記端末装置が前記複数のフィードバックモードのうちのいずれか１つのフィードバックモードを使用して伝送する前記フィードバック情報を伝送することができることを含んでもよく、
前記端末装置が前記目標フィードバックモードを使用して前記フィードバック情報を伝送することは、
前記端末装置が前記ＰＵＣＣＨのリソースにおいて前記目標フィードバックモードを使用して前記フィードバック情報を伝送することを含む。
【００８０】
具体的には、前記目標フィードバックモードが端末装置により決定される場合、ネットワーク機器は端末装置がどのフィードバックモードを使用してフィードバックするかを把握できず、この場合、前記ネットワーク機器がフィードバック情報を伝送するための物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）のリソースの情報を端末装置に送信し、前記ＰＵＣＣＨリソースのサイズが前記複数のフィードバックモードにおけるフィードバック情報の占有したリソースの最も多いリソースのサイズ以上であるべきであり、従って、端末装置がどのフィードバックモードでフィードバックするかに関わらず、いずれも十分な伝送リソースがある。例えば、フィードバックモードはモード１〜モード４を含み、前記ＰＵＣＣＨリソースのサイズはモード４でフィードバックするときの、フィードバック情報の占有したリソースのサイズ、つまりｂｉｔｍａｐ方式でフィードバックするときの、フィードバック情報の占有したリソースのサイズであってもよく、従って、端末装置がどのフィードバックモードでフィードバックするかに関わらず、ＰＵＣＣＨのリソースがいずれも十分である。
【００８１】
選択肢として、いくつかの実施例では、前記端末装置がフィードバック情報の伝送に使用される目標フィードバックモードを決定することは、
前記端末装置がネットワーク機器から送信された指示情報を受信することと、
前記端末装置が前記指示情報に基づいて前記目標フィードバックモードを決定することと、を含む。
【００８２】
つまり、端末装置はネットワーク機器の指示情報に基づいて目標フィードバックモードを決定することができる。
【００８３】
選択肢として、いくつかの実施例では、前記指示情報が前記フィードバック情報の伝送に使用されるＰＵＣＣＨのフォーマット及び／又はリソースの情報を示し、この場合、前記端末装置が前記指示情報に基づいて前記目標フィードバックモードを決定することは、
前記端末装置が前記ＰＵＣＣＨのフォーマット及び／又はリソースの情報に基づいて前記目標フィードバックモードを決定することを含み、
前記端末装置が前記目標フィードバックモードを使用して前記フィードバック情報を伝送することは、
前記ＰＵＣＣＨのフォーマット及び／又はリソースを使用して前記フィードバック情報を伝送することを含む。
【００８４】
選択肢として、いくつかの実施例では、前記端末装置が前記ＰＵＣＣＨのフォーマット及び／又はリソースの情報に基づいて前記目標フィードバックモードを決定することは、
前記ＰＵＣＣＨのフォーマット及び／又はリソースの情報が１つの確認／否定確認ＡＣＫ／ＮＡＣＫを伝送するフォーマット及び／又はリソースを示す場合、前記端末装置が前記ＴＢに対して１ビットのＡＣＫ／ＮＡＣＫを用いることを目標フィードバックモードとして決定すること、又は
前記ＰＵＣＣＨのフォーマット及び／又はリソースの情報が複数のＡＣＫ／ＮＡＣＫを伝送するフォーマット及び／又はリソースを示す場合、前記端末装置が前記ＴＢに対して複数のビットのＡＣＫ／ＮＡＣＫを用いることを目標フィードバックモードとして決定することを含む。
【００８５】
具体的に、前記指示情報はＰＵＣＣＨのためのフォーマット及び／又はリソースの情報を示すことができ、例えば、前記ネットワーク機器が１つのＡＣＫ／ＮＡＣＫを伝送するためのフォーマット及び／又はリソース（例えば、１つの直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの短い（ｓｈｏｒｔ）ＰＵＣＣＨ）を設定した場合、端末装置は目標伝送モードが１ビットのＡＣＫ／ＮＡＣＫを用いてフィードバックすることであると決定することができ、又は、前記ネットワーク機器が複数のＡＣＫ／ＮＡＣＫを伝送するためのフォーマット及び／又はリソースを設定した場合、前記端末装置は複数のビットのＡＣＫ／ＮＡＣＫを用いてフィードバックすることができ、つまり、端末装置は前記ネットワーク機器に設定されたリソースに基づいてフィードバック情報の伝送に使用されるモードを決定することができる。
【００８６】
選択肢として、いくつかの実施例では、前記指示情報は前記端末装置が前記フィードバック情報を伝送するフィードバックモードを示し、前記端末装置が前記指示情報に基づいて前記目標フィードバックモードを決定することは、
前記端末装置が指示情報の示す前記フィードバック情報を伝送するフィードバックモードを前記目標フィードバックモードとして決定することを含む。
【００８７】
つまり、前記指示情報は端末装置がフィードバック情報を伝送するフィードバックモードを直接示すことができ、つまり、ネットワーク機器は端末装置がどのフィードバックモードでフィードバックするかを直接設定することができ、それにより端末装置は前記指示情報の示すフィードバックモードを目標フィードバックモードとして決定することができる。選択肢として、いくつかの実施例では、前記端末装置が前記ネットワーク機器から送信された第１指示情報と第２指示情報を受信し、前記第１指示情報は前記端末装置が第１フィードバックモードでフィードバックすることを示し、前記第２指示情報はＰＵＣＣＨのリソースの情報又は端末装置がフィードバックモードを更に判定する必要がある他の情報を示す場合、前記端末装置は第１フィードバックモードで前記フィードバック情報を伝送し、つまり、明示的な指示方式の優先度が暗示的な指示方式の優先度より高いと決定する。
【００８８】
選択肢として、いくつかの実施例では、前記方法２００は、更に、
前記端末装置が前記ネットワーク機器から送信された前記指示情報を含む第１シグナリングを受信し、前記第１シグナリングが物理層シグナリング、ＭＡＣ層シグナリング又は高層シグナリングであることを含む。本願の実施例は該指示情報の送信方式を具体的に制限せず、例えば、更に他の専有のシグナリングを介して送信してもよい。
【００８９】
選択肢として、いくつかの実施例では、選択肢として、前記端末装置が前記目標フィードバックモードを使用して前記フィードバック情報を伝送することは、
前記端末装置がデータチャネル及び／又は制御チャネルにおいて前記目標フィードバックモードを使用して前記フィードバック情報を伝送することを含む。
【００９０】
具体的には、前記端末装置がｂｉｔｍａｐ方式でフィードバックすると決定する場合、前記端末装置はデータチャネルにおいて前記目標フィードバックモードを使用してフィードバックしてもよく、制御チャネルにおいて前記目標フィードバックモードを使用してフィードバックしてもよく、制御チャネル及びデータチャネルにおいて前記目標フィードバックモードを使用してフィードバックしてもよい。制御チャネルのリソースがデータチャネルのリソースより少ないため、選択肢として、前記端末装置は制御チャネルにおいて１ビットのフィードバック情報を使用してフィードバックするが、データチャネルにおいてｂｉｔｍａｐ方式でフィードバックすることができる。
【００９１】
選択肢として、いくつかの実施例では、前記目標フィードバックモードは第１フィードバックモードと第２フィードバックモードを含み、前記端末装置がデータチャネル及び／又は制御チャネルにおいて前記目標フィードバックモードを使用してフィードバックモードを伝送することは、
前記データチャネルにおいて前記第１フィードバックモードで前記フィードバック情報を伝送し、前記制御チャネルにおいて前記第２フィードバックモードで前記フィードバック情報を伝送することを含む。
【００９２】
具体的には、前記端末装置はデータチャネル及び制御チャネルにおいてフィードバック情報を同時に伝送することができ、選択肢として、データチャネルにおいて第１フィードバックモードでフィードバックし、制御チャネルにおいて第２フィードバックモードでフィードバックし、前記第１フィードバックモードと前記第２フィードバックモードとが同じであってもよいし、異なってもよく、つまり、前記端末装置は２つのフィードバックモードで同時にフィードバックすることができる。選択肢として、前記第１フィードバックモードと前記第２フィードバックモードは上記モード１〜モード４のうちの複数を含んでもよい。
【００９３】
選択肢として、いくつかの実施例では、前記データチャネルにおいて前記第１フィードバックモードで前記フィードバック情報を伝送することは、
前記端末装置がメディアアクセス制御ＭＡＣ制御要素ＣＥにおいて前記第１フィードバックモードでフィードバックすることを含む。
【００９４】
つまり、前記端末装置はＭＡＣ制御元素（ＣＥ：Ｃｏｎｔｒｏｌ  Ｅｌｅｍｅｎｔ）を介して前記フィードバック情報を伝送することができる。前記端末装置は前記ＭＡＣ  ＣＥにおいて前記フィードバック情報、例えば１ビットのＡＣＫ／ＮＡＣＫ又はすべてのＣＢに対するｂｉｔｍａｐ等が含まれてもよい。
【００９５】
選択肢として、いくつかの実施例では、前記方法は、更に、
前記端末装置がネットワーク機器から送信された、アップリンクデータチャネルを伝送するためのリソースの情報を受信することを含み、
前記端末装置がデータチャネル及び／又は制御チャネルにおいて前記目標フィードバックモードを使用してフィードバックモードを伝送することは、
前記端末装置が前記アップリンクデータチャネルを伝送するためのリソースにおいて、前記目標フィードバックモードを使用して前記フィードバック情報を伝送することを含む。
【００９６】
具体的には、ネットワーク機器は端末装置がアップリンクデータチャネルを伝送するリソースを設定することができ、この場合、端末装置はデータチャネルにおいてフィードバック情報を伝送すると決定するとき、前記ネットワーク機器に設定されたアップリンクデータチャネルのリソースにおいて、前記目標フィードバックモードを使用して前記フィードバック情報を伝送することができる。
【００９７】
選択肢として、前記目標フィードバックモードは、
前記ＴＢに対して１ビットのＡＣＫ／ＮＡＣＫを用いてフィードバックするモード、複数のＴＢに対して１ビットのＡＣＫ／ＮＡＣＫを用いてフィードバックするモード、前記ＴＢにおける一部又は全部のＣＢに対してビットマッピング方式でフィードバックするモードのうちの１つを含み、前記複数のＴＢが前記ＴＢを含む。
【００９８】
前記端末装置は受信された複数のＴＢを同様にフィードバックすることができ、例えば、複数のＴＢの受信に成功した場合、前記端末装置は前記複数のＴＢに対して１ビットのフィードバック情報を用いてフィードバックすることができ、従って、前記フィードバック情報は複数のＴＢに対するフィードバック情報であってもよい。
【００９９】
以上は図２を参照しながら端末装置の観点から本願の実施例に係るフィードバック情報伝送方法を詳しく説明したが、以下に図３を参照しながらネットワーク機器の観点から本願の実施例に係るフィードバック情報伝送方法を詳しく説明する。ネットワーク機器側の説明は端末装置側の説明に対応し、類似な説明は以上の説明を参照してもよく、重複を避けるため、ここで詳細な説明は省略すると理解すべきである。
【０１００】
図３は本願の他の実施例に係るフィードバック情報伝送方法の模式的なフローチャートであり、図３に示すように、該方法３００はＳ３１０とＳ３２０を含む。
Ｓ３１０、ネットワーク機器は端末装置へ指示情報を送信し、前記指示情報は前記端末装置がフィードバック情報の伝送に使用される目標フィードバックモードを決定することに用いられ、前記フィードバック情報は前記端末装置が受信した前記ネットワーク機器から送信された伝送ブロックＴＢに対するフィードバック情報である。
Ｓ３２０、前記ネットワーク機器は前記端末装置が前記目標フィードバックモードを使用して伝送したフィードバック情報を受信する。
【０１０１】
従って、ネットワーク機器は端末装置へ指示情報を送信することができ、それにより端末装置は前記指示情報に基づいてフィードバック情報の伝送に使用されるフィードバックモードを決定することができ、従って、端末装置はフィードバック情報の伝送に使用されるフィードバックモードを動的に調整することができる。
【０１０２】
選択肢として、いくつかの実施例では、前記指示情報は、
複数のフィードバックモード、複数の範囲と複数のフィードバックモードとの対応関係、前記フィードバック情報の伝送に使用される物理アップリンク制御チャネルＰＵＣＣＨのフォーマット及び／又はリソースの情報及び前記端末装置が前記フィードバック情報を伝送するフィードバックモードのうちの少なくとも１つを示し、前記複数の範囲が１つのＴＢにおける受信に成功した又は受信に失敗したＣＢの個数範囲、又は、１つのＴＢにおける受信に成功した又は受信に失敗したＣＢの総ＣＢでの比率範囲である。
【０１０３】
選択肢として、いくつかの実施例では、前記指示情報が前記複数のフィードバックモードを示し、前記ネットワーク機器が前記端末装置が前記目標フィードバックモードを使用して伝送したフィードバック情報を受信することは、
前記ネットワーク機器が前記端末装置が第１フィードバックモードで伝送したフィードバック情報を受信することを含み、前記第１フィードバックモードは端末装置が前記ＴＢの受信状況に応じて前記複数のフィードバックモードから決定されたものである。
【０１０４】
つまり、ネットワーク機器が前記端末装置のために複数のフィードバックモードを設定することにより、端末装置は前記ＴＢの受信状況に応じて前記複数のフィードバックモードからフィードバック情報の伝送に使用される第１フィードバックモードを決定することができる。
【０１０５】
選択肢として、いくつかの実施例では、前記指示情報が前記複数の範囲と複数のフィードバックモードとの対応関係を示し、前記ネットワーク機器が前記端末装置が前記目標フィードバックモードを使用して伝送したフィードバック情報を受信することは、
前記ネットワーク機器が前記端末装置が第２フィードバックモードで伝送したフィードバック情報を受信することを含み、前記第２フィードバックモードは端末装置が第１範囲及び前記対応関係に基づいて決定されたものであり、前記第１範囲が第１パラメータに対応する範囲であり、前記第１パラメータが前記ＴＢにおける受信に成功した又は受信に失敗したコードブロックＣＢの個数、又は、受信に成功した又は受信に失敗したＣＢの総ＣＢでの比率を示す。
【０１０６】
つまり、ネットワーク機器が前記端末装置のために複数の範囲と複数のフィードバックモードとの対応関係を設定することにより、端末装置は第１パラメータに基づいて前記複数の範囲から前記第１パラメータに対応する第１範囲を決定することができ、それにより前記対応関係から前記第１範囲に対応するフィードバックモードを決定し、従って、前記第１範囲に対応するフィードバックモードが前記フィードバック情報の伝送に使用される目標フィードバックモードであると決定する。
【０１０７】
選択肢として、いくつかの実施例では、前記指示情報は前記端末装置が前記フィードバック情報を伝送するフィードバックモードを示し、前記ネットワーク機器が前記端末装置が前記目標フィードバックモードを使用して伝送したフィードバック情報を受信することは、
前記ネットワーク機器が前記端末装置が前記指示情報の示す前記フィードバック情報を伝送するフィードバックモードで伝送した前記フィードバック情報を受信することを含む。
【０１０８】
つまり、前記ネットワーク機器は前記指示情報によって端末装置がどのフィードバックモードでフィードバックするかを直接示すことができ、それにより端末装置は前記指示情報の示すフィードバックモードが前記目標フィードバックモードであると直接決定することができる。
【０１０９】
選択肢として、いくつかの実施例では、前記指示情報が前記フィードバック情報の伝送に使用されるＰＵＣＣＨのフォーマット及び／又はリソースの情報を示し、前記ネットワーク機器が前記端末装置が前記目標フィードバックモードを使用して伝送したフィードバック情報を受信することは、
前記ネットワーク機器が前記端末装置が第３フィードバックモードで伝送した前記フィードバック情報を受信することを含み、前記第３フィードバックモードが前記ＰＵＣＣＨのフォーマット及び／又はリソースの情報に基づいて決定されたものである。
【０１１０】
選択肢として、いくつかの実施例では、前記ネットワーク機器が前記端末装置が第３フィードバックモードで伝送した前記フィードバック情報を受信することは、
前記ＰＵＣＣＨのフォーマット及び／又はリソースの情報が１つの確認／否定確認ＡＣＫ／ＮＡＣＫを伝送するフォーマット及び／又はリソースを示す場合、前記ネットワーク機器が前記端末装置が１ビットのＡＣＫ／ＮＡＣＫを用いてフィードバックしたフィードバック情報を受信すること、又は
前記ＰＵＣＣＨのフォーマット及び／又はリソースの情報が複数のＡＣＫ／ＮＡＣＫを伝送するフォーマット及び／又はリソースを示す場合、前記ネットワーク機器が前記端末装置が複数のビットのＡＣＫ／ＮＡＣＫを用いてフィードバックした前記フィードバック情報を受信することを含む。
【０１１１】
つまり、前記ネットワーク機器はＰＵＣＣＨのフォーマット及び／又はリソースの情報によって前記端末装置がフィードバック情報を伝送するために使用したフィードバックモードを間接的に示すことができ、ＰＵＣＣＨのフォーマット及び／又はリソースが１ビットのフィードバック情報に対するリソースである場合、１ビットのフィードバック情報を用いてフィードバックし、ＰＵＣＣＨのフォーマット及び／又はリソースが複数のビットのフィードバック情報に対するリソースである場合、マルチビットのフィードバック情報を用いてフィードバックする。
【０１１２】
選択肢として、いくつかの実施例では、前記ネットワーク機器が前記端末装置へ指示情報を送信することは、
前記ネットワーク機器が前記指示情報を含む高層シグナリングを前記端末装置に送信することを含む。
【０１１３】
選択肢として、いくつかの実施例では、前記高層シグナリングが無線リソース制御ＲＲＣシグナリングである。
【０１１４】
選択肢として、いくつかの実施例では、前記方法は、更に、
前記ネットワーク機器が前記フィードバック情報を伝送するための物理アップリンク制御チャネルＰＵＣＣＨのリソースの情報を前記ネットワーク機器に送信し、前記ＰＵＣＣＨのリソースによって前記端末装置が前記複数のフィードバックモードのうちのいずれか１つのフィードバックモードで伝送する前記フィードバック情報を伝送することができることを含み、
前記ネットワーク機器が前記端末装置が前記目標フィードバックモードを使用して伝送したフィードバック情報を受信することは、
前記ネットワーク機器が前記端末装置の前記ＰＵＣＣＨリソースにおいて前記目標フィードバックモードを使用して伝送した前記フィードバック情報を受信することを含む。
【０１１５】
選択肢として、いくつかの実施例では、前記ネットワーク機器が前記端末装置が前記目標フィードバックモードを使用して伝送したフィードバック情報を受信することは、
前記ネットワーク機器が前記端末装置がデータチャネル及び／又は制御チャネルにおいて前記目標フィードバックモードを使用して伝送した前記フィードバック情報を受信することを含む。
【０１１６】
選択肢として、いくつかの実施例では、前記目標フィードバックモードは第１目標フィードバックモードと第２目標フィードバックモードを含み、前記ネットワーク機器が前記端末装置がデータチャネル及び／又は制御チャネルにおいて前記目標フィードバックモードを使用して伝送した前記フィードバック情報を受信することは、
前記ネットワーク機器が前記端末装置が前記データチャネルにおいて前記第１目標フィードバックモードを使用して伝送した前記フィードバック情報を受信することと、前記ネットワーク機器が前記端末装置が前記制御チャネルにおいて前記第２目標フィードバックモードを使用して伝送した前記フィードバック情報を受信することと、を含む。
【０１１７】
選択肢として、いくつかの実施例では、前記ネットワーク機器が前記端末装置が前記データチャネルにおいて前記第１目標フィードバックモードを使用して伝送した前記フィードバック情報を受信することは、
前記ネットワーク機器が前記端末装置のメディアアクセス制御ＭＡＣ制御要素ＣＥにおいて前記第１目標フィードバックモードを使用して伝送した前記フィードバック情報を受信することを含む。
【０１１８】
選択肢として、いくつかの実施例では、前記方法は、更に、
前記ネットワーク機器がアップリンクデータチャネルを伝送するためのリソースの情報を前記端末装置に送信することを含み、
前記ネットワーク機器が前記端末装置がデータチャネル及び／又は制御チャネルにおいて前記目標フィードバックモードを使用して伝送した前記フィードバック情報を受信することは、
前記ネットワーク機器が前記端末装置がアップリンクデータチャネルを伝送するためのリソースにおいて、前記目標フィードバックモードを使用して伝送した前記フィードバック情報を受信することを含む。
【０１１９】
選択肢として、いくつかの実施例では、前記目標フィードバックモードは、
前記ＴＢに対して１ビットのＡＣＫ／ＮＡＣＫを用いてフィードバックするモード、複数のＴＢに対して１ビットのＡＣＫ／ＮＡＣＫを用いてフィードバックするモード、前記ＴＢにおける一部又は全部のＣＢに対してビットマッピング方式でフィードバックするモードのうちの１つを含み、前記複数のＴＢが前記ＴＢを含む。
【０１２０】
以上は図２〜図３を参照しながら本願の方法実施例を詳しく説明したが、以下に図４〜図７を参照しながら本願の装置実施例を詳しく説明し、装置実施例は方法実施例に対応し、類似な説明は方法実施例を参照してもよいと理解すべきである。
【０１２１】
図４は本願の実施例に係る端末装置４００の模式的なブロック図である。図４に示すように、該端末装置４００は決定モジュール４１０及び通信モジュール４２０を備える。
【０１２２】
決定モジュール４１０はフィードバック情報の伝送に使用される目標フィードバックモードを決定することに用いられ、前記フィードバック情報は前記端末装置が受信したネットワーク機器から送信された伝送ブロックＴＢに対するフィードバック情報である。
通信モジュール４２０は前記目標フィードバックモードを使用して前記フィードバック情報を伝送することに用いられる。
【０１２３】
選択肢として、いくつかの実施例では、前記決定モジュール４１０は、具体的に、
前記ＴＢの受信状況に応じて前記目標フィードバックモードを決定することに用いられる。
【０１２４】
選択肢として、いくつかの実施例では、前記決定モジュール４１０は、具体的に、
前記ＴＢの受信状況に応じて予め設定された複数のフィードバックモードから前記目標フィードバックモードを決定することに用いられる。
【０１２５】
選択肢として、いくつかの実施例では、前記通信モジュール４２０は、更に、
前記ネットワーク機器から送信された、前記ネットワーク機器により予め設定された前記複数のフィードバックモードを含む高層シグナリングを受信することに用いられる。
【０１２６】
選択肢として、いくつかの実施例では、前記決定モジュール４１０は、具体的に、
第１パラメータに基づいて前記目標フィードバックモードを決定することに用いられ、前記第１パラメータが前記ＴＢにおける受信に成功した又は受信に失敗したコードブロックＣＢの個数、又は、受信に成功した又は受信に失敗したＣＢの総ＣＢでの比率を示す。
【０１２７】
選択肢として、いくつかの実施例では、前記決定モジュール４１０は、具体的に、
複数の範囲から前記第１パラメータに対応する第１範囲を決定し、前記複数の範囲が１つのＴＢにおける受信に成功した又は受信に失敗したＣＢの個数範囲、又は、１つのＴＢにおける受信に成功した又は受信に失敗したＣＢの総ＣＢでの比率範囲であり、
前記第１範囲及び予め設定された前記複数の範囲と複数のフィードバックモードとの対応関係に基づいて前記目標フィードバックモードを決定することに用いられる。
【０１２８】
選択肢として、いくつかの実施例では、前記通信モジュール４２０は、更に、
前記ネットワーク機器から送信された、前記ネットワーク機器により予め設定された前記対応関係を含む高層シグナリングを受信することに用いられる。
【０１２９】
選択肢として、いくつかの実施例では、前記通信モジュール４２０は、更に、
前記ネットワーク機器から送信された、前記フィードバック情報を伝送するための物理アップリンク制御チャネルＰＵＣＣＨのリソースの情報を受信し、前記ＰＵＣＣＨのリソースによって前記端末装置が前記複数のフィードバックモードのうちのいずれか１つのフィードバックモードで伝送する前記フィードバック情報を伝送することができ、
前記ＰＵＣＣＨリソースにおいて前記目標フィードバックモードを使用して前記フィードバック情報を伝送することに用いられる。
【０１３０】
選択肢として、いくつかの実施例では、前記通信モジュール４２０は、更に、
ネットワーク機器から送信された指示情報を受信することに用いられ、
前記決定モジュール４１０は、具体的に、
前記指示情報に基づいて前記目標フィードバックモードを決定することに用いられる。
【０１３１】
選択肢として、いくつかの実施例では、前記指示情報が前記フィードバック情報の伝送に使用されるＰＵＣＣＨのフォーマット及び／又はリソースの情報を示し、前記決定モジュール４１０は、具体的に、
前記ＰＵＣＣＨのフォーマット及び／又はリソースの情報に基づいて前記目標フィードバックモードを決定することに用いられ、
前記通信モジュール４２０は、具体的に、
前記ＰＵＣＣＨのフォーマット及び／又はリソースを使用して前記フィードバック情報を伝送することに用いられる。
【０１３２】
選択肢として、いくつかの実施例では、前記決定モジュール４１０は、具体的に、
前記ＰＵＣＣＨのフォーマット及び／又はリソースの情報が１つの確認／否定確認ＡＣＫ／ＮＡＣＫを伝送するフォーマット及び／又はリソースを示す場合、目標フィードバックモードが前記ＴＢに対して１ビットのＡＣＫ／ＮＡＣＫを用いることであると決定し、又は
前記ＰＵＣＣＨのフォーマット及び／又はリソースの情報が複数のＡＣＫ／ＮＡＣＫを伝送するフォーマット及び／又はリソースを示す場合、目標フィードバックモードが前記ＴＢに対して複数のビットのＡＣＫ／ＮＡＣＫを用いることであると決定することに用いられる。
【０１３３】
選択肢として、いくつかの実施例では、前記指示情報は前記端末装置が前記フィードバック情報を伝送するフィードバックモードを示し、前記決定モジュール４１０は、具体的に、
指示情報の示す前記フィードバック情報を伝送するフィードバックモードを前記目標フィードバックモードとして決定することに用いられる。
【０１３４】
選択肢として、いくつかの実施例では、前記通信モジュール４２０は、更に、
前記ネットワーク機器から送信された前記指示情報を含む第１シグナリングを受信することに用いられ、前記第１シグナリングが物理層シグナリング、ＭＡＣ層シグナリング又は高層シグナリングである。
【０１３５】
選択肢として、いくつかの実施例では、前記通信モジュール４２０は、具体的に、
データチャネル及び／又は制御チャネルにおいて前記目標フィードバックモードを使用して前記フィードバック情報を伝送することに用いられる。
【０１３６】
選択肢として、いくつかの実施例では、前記目標フィードバックモードは第１フィードバックモードと第２フィードバックモードを含み、前記通信モジュール４２０は、具体的に、
前記データチャネルにおいて前記第１フィードバックモードで前記フィードバック情報を伝送し、前記制御チャネルにおいて前記第２フィードバックモードで前記フィードバック情報を伝送することに用いられる。
【０１３７】
選択肢として、いくつかの実施例では、前記通信モジュール４２０は、具体的に、
メディアアクセス制御ＭＡＣ制御要素ＣＥにおいて前記第１フィードバックモードでフィードバックすることに用いられる。
【０１３８】
選択肢として、いくつかの実施例では、前記通信モジュール４２０は、具体的に、
ネットワーク機器から送信されたアップリンクデータチャネルを伝送するためのリソースの情報を受信し、
アップリンクデータチャネルを伝送するためのリソースにおいて、前記目標フィードバックモードを使用して前記フィードバック情報を伝送することに用いられる。
【０１３９】
選択肢として、いくつかの実施例では、前記目標フィードバックモードは、
前記ＴＢに対して１ビットのＡＣＫ／ＮＡＣＫを用いてフィードバックするモード、複数のＴＢに対して１ビットのＡＣＫ／ＮＡＣＫを用いてフィードバックするモード、前記ＴＢにおける一部又は全部のＣＢに対してビットマッピング方式でフィードバックするモードのうちの１つを含み、前記複数のＴＢが前記ＴＢを含む。
【０１４０】
具体的に、該端末装置４００は本願の実施例に係るフィードバック情報伝送方法２００における端末装置に対応してもよく、該端末装置４００は図２における方法２００における端末装置が実行する方法を実行するためのエンティティユニットを備えてもよい。且つ、該端末装置４００における各エンティティユニット及び上記他の操作及び／又は機能はそれぞれ図２における方法２００の対応プロセスを実現するためのものであり、簡潔のため、ここで詳細な説明は省略する。
【０１４１】
図５は本願の実施例に係るネットワーク機器５００の模式的なブロック図である。図５に示すように、該ネットワーク機器５００は送信モジュール５１０及び受信モジュール５２０を備え、
送信モジュール５１０は、前記端末装置がフィードバック情報の伝送に使用される目標フィードバックモードを決定するための指示情報を前記端末装置に送信することに用いられ、前記フィードバック情報は前記端末装置が受信した前記ネットワーク機器から送信された伝送ブロックＴＢに対するフィードバック情報であり、
受信モジュール５２０は、前記端末装置が前記目標フィードバックモードを使用して伝送したフィードバック情報を受信することに用いられる。
【０１４２】
選択肢として、いくつかの実施例では、前記指示情報は、
複数のフィードバックモード、複数の範囲と複数のフィードバックモードとの対応関係、前記フィードバック情報の伝送に使用される物理アップリンク制御チャネルＰＵＣＣＨのフォーマット及び／又はリソースの情報、前記端末装置が前記フィードバック情報を伝送するフィードバックモードのうちの少なくとも１つを示し、前記複数の範囲が１つのＴＢにおける受信に成功した又は受信に失敗したＣＢの個数範囲、又は、１つのＴＢにおける受信に成功した又は受信に失敗したＣＢの総ＣＢでの比率範囲である。
【０１４３】
選択肢として、いくつかの実施例では、前記指示情報が前記複数のフィードバックモードを示し、前記受信モジュール５２０は、具体的に、
前記端末装置が第１フィードバックモードで伝送したフィードバック情報を受信することに用いられ、前記第１フィードバックモードは端末装置が前記ＴＢの受信状況に応じて前記複数のフィードバックモードから決定されたものである。
【０１４４】
選択肢として、いくつかの実施例では、前記指示情報が複数の範囲と複数のフィードバックモードとの対応関係を示し、前記受信モジュール５２０は、具体的に、
前記端末装置が第２フィードバックモードで伝送したフィードバック情報を受信することに用いられ、前記第２フィードバックモードは端末装置が第１範囲及び前記対応関係に基づいて決定されたものであり、前記第１範囲が第１パラメータに対応する範囲であり、前記第１パラメータが前記ＴＢにおける受信に成功した又は受信に失敗したコードブロックＣＢの個数、又は、受信に成功した又は受信に失敗したＣＢの総ＣＢでの比率を示す。
【０１４５】
選択肢として、いくつかの実施例では、前記指示情報は前記端末装置が前記フィードバック情報を伝送するフィードバックモードを示し、前記受信モジュール５２０は、具体的に、
前記端末装置が前記指示情報の示す前記フィードバック情報を伝送するフィードバックモードで伝送した前記フィードバック情報を受信することに用いられる。
【０１４６】
選択肢として、いくつかの実施例では、前記指示情報が前記フィードバック情報の伝送に使用されるＰＵＣＣＨのフォーマット及び／又はリソースの情報を示し、前記受信モジュール５２０は、具体的に、
前記端末装置が第３フィードバックモードで伝送した前記フィードバック情報を受信することに用いられ、前記第３フィードバックモードが前記ＰＵＣＣＨのフォーマット及び／又はリソースの情報に基づいて決定されたものである。
【０１４７】
選択肢として、いくつかの実施例では、前記受信モジュール５２０は、具体的に、
前記ＰＵＣＣＨのフォーマット及び／又はリソースの情報が１つの確認／否定確認ＡＣＫ／ＮＡＣＫを伝送するフォーマット及び／又はリソースを示す場合、前記端末装置が１ビットのＡＣＫ／ＮＡＣＫを用いてフィードバックしたフィードバック情報を受信し、又は
前記ＰＵＣＣＨのフォーマット及び／又はリソースの情報が複数のＡＣＫ／ＮＡＣＫを伝送するフォーマット及び／又はリソースを示す場合、前記端末装置が複数のビットのＡＣＫ／ＮＡＣＫを用いてフィードバックした前記フィードバック情報を受信することに用いられる。
【０１４８】
選択肢として、いくつかの実施例では、前記送信モジュール５１０は、具体的に、
前記指示情報を含む高層シグナリングを前記端末装置に送信することに用いられる。
【０１４９】
選択肢として、いくつかの実施例では、前記高層シグナリングが無線リソース制御ＲＲＣシグナリングである。
【０１５０】
選択肢として、いくつかの実施例では、前記送信モジュール５１０は、更に、
前記フィードバック情報を伝送するための物理アップリンク制御チャネルＰＵＣＣＨのリソースの情報を前記ネットワーク機器に送信することに用いられ、前記ＰＵＣＣＨのリソースによって前記端末装置が前記複数のフィードバックモードのうちのいずれか１つのフィードバックモードで伝送する前記フィードバック情報を伝送することができ、
前記受信モジュール５２０は、具体的に、
前記端末装置が前記目標フィードバックモードを使用して伝送したフィードバック情報を受信することに用いられ、前記ネットワーク機器が前記端末装置の前記ＰＵＣＣＨリソースにおいて前記目標フィードバックモードを使用して伝送した前記フィードバック情報を受信することを含む。
【０１５１】
選択肢として、いくつかの実施例では、前記受信モジュール５２０は、具体的に、
前記端末装置がデータチャネル及び／又は制御チャネルにおいて前記目標フィードバックモードを使用して伝送した前記フィードバック情報を受信することに用いられる。
【０１５２】
選択肢として、いくつかの実施例では、前記目標フィードバックモードは第１目標フィードバックモードと第２目標フィードバックモードを含み、前記受信モジュール５２０は、具体的に、
前記端末装置が前記データチャネルにおいて前記第１目標フィードバックモードを使用して伝送した前記フィードバック情報を受信し、前記端末装置が前記制御チャネルにおいて前記第２目標フィードバックモードを使用して伝送した前記フィードバック情報を受信することに用いられる。
【０１５３】
選択肢として、いくつかの実施例では、前記受信モジュール５２０は、具体的に、
前記端末装置がメディアアクセス制御ＭＡＣ制御要素ＣＥにおいて前記第１目標フィードバックモードを使用してフィードバックした前記フィードバック情報を受信することに用いられる。
【０１５４】
選択肢として、いくつかの実施例では、前記送信モジュール５１０は、更に、
アップリンクデータチャネルを伝送するためのリソースの情報を前記端末装置に送信することに用いられ、
前記受信モジュール５２０は、具体的に、
前記端末装置がアップリンクデータチャネルを伝送するためのリソースにおいて前記目標フィードバックモードを使用して伝送した前記フィードバック情報を受信することに用いられる。
【０１５５】
選択肢として、いくつかの実施例では、前記目標フィードバックモードは、
前記ＴＢに対して１ビットのＡＣＫ／ＮＡＣＫを用いてフィードバックするモード、複数のＴＢに対して１ビットのＡＣＫ／ＮＡＣＫを用いてフィードバックするモード、前記ＴＢにおける一部又は全部のＣＢに対してビットマッピング方式でフィードバックするモードのうちの１つを含み、前記複数のＴＢが前記ＴＢを含む。
【０１５６】
具体的に、該ネットワーク機器５００は本願の実施例に係るフィードバック情報伝送方法３００におけるネットワーク機器に対応してもよく、該ネットワーク機器５００は図３における方法３００におけるネットワーク機器が実行する方法を実行するためのエンティティユニットを備えてもよい。且つ、該ネットワーク機器５００における各エンティティユニット及び上記他の操作及び／又は機能はそれぞれ図３における方法３００の対応プロセスを実現するためのものであり、簡潔のため、ここで詳細な説明は省略する。
【０１５７】
図６は本願の実施例に係る端末装置の模式的なブロック図である。図６における端末装置６００はメモリ６１０、送受信機６２０及びプロセッサ６３０を備え、前記メモリ６１０はプログラムを記憶することに用いられ、前記プロセッサ６３０はプログラムを実行することに用いられ、前記プログラムが実行されるとき、前記プロセッサ６３０は前記送受信機６２０によって信号を送受信して上記方法実施例における操作を完了する。
【０１５８】
本願の実施例では、該プロセッサ６３０は中央処理装置（ＣＰＵ：Ｃｅｎｔｒａｌ  Ｐｒｏｃｅｓｓｉｎｇ  Ｕｎｉｔ）であってもよく、該プロセッサ６３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、該プロセッサは更にいかなる通常のプロセッサ等であってもよい。
【０１５９】
該メモリ６１０は読み出し専用メモリ及びランダムアクセスメモリを含んでもよく、且つプロセッサ６３０に命令及びデータを提供する。メモリ６１０の一部は更に不揮発性ランダムアクセスメモリを含んでもよい。例えば、メモリ６１０に更に装置タイプ情報が記憶されてもよい。
【０１６０】
実現過程において、上記方法の各ステップはプロセッサ６３０におけるハードウェアの集積論理回路又はソフトウェア形式の命令で完了してもよい。本願の実施例に開示される方法のステップはハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリに位置し、プロセッサ６３０がメモリにおける情報を読み取り、そのハードウェアと合わせて上記方法のステップを完了する。重複を避けるため、ここで詳細な説明は省略する。
【０１６１】
具体的な一実施形態では、図４における決定モジュール４１０は図６におけるプロセッサ６３０により実現されてもよく、図４における通信モジュール４２０は図６における送受信機６２０により実現されてもよい。
【０１６２】
図７は本願の実施例に係るネットワーク機器の模式的なブロック図である。図７におけるネットワーク機器７００はメモリ７１０、送受信機７２０及びプロセッサ７３０を備え、前記メモリ７１０はプログラムを記憶することに用いられ、前記プロセッサ７３０はプログラムを実行することに用いられ、前記プログラムが実行されるとき、前記プロセッサ７３０は指示情報を生成することに用いられる。
本願の実施例では、該プロセッサ７３０は中央処理装置（ＣＰＵ：Ｃｅｎｔｒａｌ  Ｐｒｏｃｅｓｓｉｎｇ  Ｕｎｉｔ）であってもよく、該プロセッサ７３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、該プロセッサは更にいかなる通常のプロセッサ等であってもよい。
【０１６３】
該メモリ７１０は読み出し専用メモリ及びランダムアクセスメモリを含んでもよく、且つプロセッサ５３０に命令及びデータを提供する。メモリ７１０の一部は更に不揮発性ランダムアクセスメモリを含んでもよい。例えば、メモリ７１０に更に装置タイプ情報が記憶されてもよい。
【０１６４】
実現過程において、上記方法の各ステップはプロセッサ７３０におけるハードウェアの集積論理回路又はソフトウェア形式の命令で完了してもよい。本願の実施例に開示される方法のステップはハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリに位置し、プロセッサ７３０がメモリにおける情報を読み取り、そのハードウェアと合わせて上記方法のステップを完了する。重複を避けるため、ここで詳細な説明は省略する。
【０１６５】
具体的な一実施形態では、図５における送信モジュール５１０及び受信モジュール５２０が図７における送受信機７２０により実現されてもよい。
【０１６６】
当業者であれば、本明細書に開示される実施例を参照して説明した各例示的なユニット及びアルゴリズムステップは電子ハードウェア又はコンピュータソフトウェアと電子ハードウェアとの組み合わせで実現されてもよいと認識される。これらの機能をハードウェアそれともソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１６７】
当業者であれば、説明を便利且つ簡単にするために、上記説明されるシステム、装置及びユニットの具体的な動作過程は、上記方法実施例における対応過程を参照してもよく、ここで詳細な説明は省略すると明確に理解される。
【０１６８】
本願に係るいくつかの実施例では、開示されるシステム、装置及び方法は他の方式で実現されてもよいと理解すべきである。例えば、以上に説明される装置実施例は模式的なものに過ぎず、例えば、前記ユニットの区画は論理機能上の区画に過ぎず、実際に実現するとき、他の区画方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１６９】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに分布されてもよい。実際の必要に応じて、その一部又は全部のユニットを選択して本実施例案の目的を実現してもよい。
【０１７０】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０１７１】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ、又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１７２】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020511823.tif 000003
【図２】
2020511823.tif 000004
【図３】
2020511823.tif 000005
【図４】
2020511823.tif 000006
【図５】
2020511823.tif 000007
【図６】
2020511823.tif 000008
【図７】
2020511823.tif 000009
【手続補正書】
【提出日】令和2年2月10日(2020.2.10)
【手続補正１】
【補正対象書類名】明細書
【補正対象項目名】０００４
【補正方法】変更
【補正の内容】
【０００４】
第１態様にはフィードバック情報伝送方法を提供し、端末装置はフィードバック情報の伝送に使用される目標フィードバックモードを決定し、前記フィードバック情報は前記端末装置が受信したネットワーク機器から送信された伝送ブロックＴＢに対するフィードバック情報であることと、前記端末装置は前記目標フィードバックモードを使用して前記フィードバック情報を伝送することと、を含む。
【手続補正２】
【補正対象書類名】明細書
【補正対象項目名】００２５
【補正方法】変更
【補正の内容】
【００２５】
第１態様を参照して、第１態様のいくつかの実現方式では、前記目標フィードバックモードは第１フィードバックモードと第２フィードバックモードを含み、前記端末装置がデータチャネル及び／又は制御チャネルにおいて、前記目標フィードバックモードを使用してフィードバック情報を伝送することは、前記データチャネルにおいて前記第１フィードバックモードで前記フィードバック情報を伝送し、前記制御チャネルにおいて前記第２フィードバックモードで前記フィードバック情報を伝送することを含む。
【手続補正３】
【補正対象書類名】明細書
【補正対象項目名】００２７
【補正方法】変更
【補正の内容】
【００２７】
第１態様を参照して、第１態様のいくつかの実現方式では、前記方法は、更に、
前記端末装置がネットワーク機器から送信された、アップリンクデータチャネルを伝送するためのリソースの情報を受信することを含み、
前記端末装置がデータチャネル及び／又は制御チャネルにおいて前記目標フィードバックモードを使用してフィードバック情報を伝送することは、前記端末装置が前記アップリンクデータチャネルを伝送するためのリソースにおいて、前記目標フィードバックモードを使用して前記フィードバック情報を伝送することを含む。
【手続補正４】
【補正対象書類名】明細書
【補正対象項目名】００８５
【補正方法】変更
【補正の内容】
【００８５】
具体的に、前記指示情報はＰＵＣＣＨのためのフォーマット及び／又はリソースの情報を示すことができ、例えば、前記ネットワーク機器が１つのＡＣＫ／ＮＡＣＫを伝送するためのフォーマット及び／又はリソース（例えば、１つの直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの短い（ｓｈｏｒｔ）ＰＵＣＣＨ）を設定した場合、端末装置は目標フィードバックモードが１ビットのＡＣＫ／ＮＡＣＫを用いてフィードバックすることであると決定することができ、又は、前記ネットワーク機器が複数のＡＣＫ／ＮＡＣＫを伝送するためのフォーマット及び／又はリソースを設定した場合、前記端末装置は複数のビットのＡＣＫ／ＮＡＣＫを用いてフィードバックすることができ、つまり、端末装置は前記ネットワーク機器に設定されたリソースに基づいてフィードバック情報の伝送に使用されるモードを決定することができる。
【手続補正５】
【補正対象書類名】明細書
【補正対象項目名】００９１
【補正方法】変更
【補正の内容】
【００９１】
選択肢として、いくつかの実施例では、前記目標フィードバックモードは第１フィードバックモードと第２フィードバックモードを含み、前記端末装置がデータチャネル及び／又は制御チャネルにおいて前記目標フィードバックモードを使用してフィードバック情報を伝送することは、
前記データチャネルにおいて前記第１フィードバックモードで前記フィードバック情報を伝送し、前記制御チャネルにおいて前記第２フィードバックモードで前記フィードバック情報を伝送することを含む。
【手続補正６】
【補正対象書類名】明細書
【補正対象項目名】００９５
【補正方法】変更
【補正の内容】
【００９５】
選択肢として、いくつかの実施例では、前記方法は、更に、
前記端末装置がネットワーク機器から送信された、アップリンクデータチャネルを伝送するためのリソースの情報を受信することを含み、
前記端末装置がデータチャネル及び／又は制御チャネルにおいて前記目標フィードバックモードを使用してフィードバック情報を伝送することは、
前記端末装置が前記アップリンクデータチャネルを伝送するためのリソースにおいて、前記目標フィードバックモードを使用して前記フィードバック情報を伝送することを含む。
【手続補正７】
【補正対象書類名】特許請求の範囲
【補正対象項目名】全文
【補正方法】変更
【補正の内容】
【特許請求の範囲】
【請求項１】
フィードバック情報伝送方法であって、
端末装置はフィードバック情報の伝送に使用される目標フィードバックモードを決定し、前記フィードバック情報は前記端末装置が受信したネットワーク機器から送信された伝送ブロックＴＢに対するフィードバック情報であることと、
前記端末装置は前記目標フィードバックモードを使用して前記フィードバック情報を伝送することと、を含むことを特徴とするフィードバック情報伝送方法。
【請求項２】
前記端末装置がフィードバック情報の伝送に使用される目標フィードバックモードを決定することは、
前記端末装置が前記ＴＢの受信状況に応じて前記目標フィードバックモードを決定することを含むことを特徴とする請求項１に記載の方法。
【請求項３】
前記端末装置が前記ＴＢの受信状況に応じて前記目標フィードバックモードを決定することは、
前記端末装置が前記ＴＢの受信状況に応じて予め設定された複数のフィードバックモードから前記目標フィードバックモードを決定することを含むことを特徴とする請求項２に記載の方法。
【請求項４】
前記方法は、更に、
前記端末装置が前記ネットワーク機器から送信された、前記ネットワーク機器により予め設定された前記複数のフィードバックモードを含む高層シグナリングを受信することを含むことを特徴とする請求項３に記載の方法。
【請求項５】
前記端末装置が前記ＴＢの受信状況に応じて前記目標フィードバックモードを決定することは、
前記端末装置が第１パラメータに基づいて前記目標フィードバックモードを決定し、前記第１パラメータが前記ＴＢにおける受信に成功した又は受信に失敗したコードブロックＣＢの個数、又は、受信に成功した又は受信に失敗したＣＢの総ＣＢでの比率を示すことを含むことを特徴とする請求項２〜４のいずれか１項に記載の方法。
【請求項６】
前記端末装置が第１パラメータに基づいて前記目標フィードバックモードを決定することは、
前記端末装置が複数の範囲から前記第１パラメータに対応する第１範囲を決定し、前記複数の範囲が１つのＴＢにおける受信に成功した又は受信に失敗したＣＢの個数範囲、又は、１つのＴＢにおける受信に成功した又は受信に失敗したＣＢの総ＣＢでの比率範囲であることと、
前記端末装置が前記第１範囲及び予め設定された前記複数の範囲と複数のフィードバックモードとの対応関係に基づいて前記目標フィードバックモードを決定することと、を含むことを特徴とする請求項５に記載の方法。
【請求項７】
前記方法は、更に、
前記端末装置が前記ネットワーク機器から送信された、前記ネットワーク機器により予め設定された前記対応関係を含む高層シグナリングを受信することと、
前記端末装置が前記ネットワーク機器から送信された、前記フィードバック情報を伝送するための物理アップリンク制御チャネルＰＵＣＣＨのリソースの情報を受信し、前記ＰＵＣＣＨのリソースによって前記端末装置が前記複数のフィードバックモードのうちのいずれか１つのフィードバックモードを使用して伝送する前記フィードバック情報を伝送することができることと、を含み、
前記端末装置が前記目標フィードバックモードを使用して前記フィードバック情報を伝送することは、
前記端末装置が前記ＰＵＣＣＨのリソースにおいて前記目標フィードバックモードを使用して前記フィードバック情報を伝送することを含むことを特徴とする請求項６に記載の方法。
【請求項８】
前記端末装置がフィードバック情報の伝送に使用される目標フィードバックモードを決定することは、
前記端末装置がネットワーク機器から送信された指示情報を受信することと、
前記端末装置が前記指示情報に基づいて前記目標フィードバックモードを決定することと、を含むことを特徴とする請求項１に記載の方法。
【請求項９】
前記指示情報は前記フィードバック情報の伝送に使用されるＰＵＣＣＨのフォーマット及び／又はリソースの情報を示し、又は、前記指示情報は前記端末装置が前記フィードバック情報を伝送するフィードバックモードを示し、
前記指示情報が前記フィードバック情報の伝送に使用されるＰＵＣＣＨのフォーマット及び／又はリソースの情報を示す場合、前記端末装置が前記指示情報に基づいて前記目標フィードバックモードを決定することは、
前記端末装置が前記ＰＵＣＣＨのフォーマット及び／又はリソースの情報に基づいて前記目標フィードバックモードを決定することを含み、前記端末装置が前記ＰＵＣＣＨのフォーマット及び／又はリソースの情報に基づいて前記目標フィードバックモードを決定することは、
前記ＰＵＣＣＨのフォーマット及び／又はリソースの情報が１つの確認／否定確認ＡＣＫ／ＮＡＣＫを伝送するフォーマット及び／又はリソースを示す場合、前記端末装置が前記ＴＢに対して１ビットのＡＣＫ／ＮＡＣＫを用いることを目標フィードバックモードとして決定すること、又は
前記ＰＵＣＣＨのフォーマット及び／又はリソースの情報が複数のＡＣＫ／ＮＡＣＫを伝送するフォーマット及び／又はリソースを示す場合、前記端末装置が前記ＴＢに対して複数のビットのＡＣＫ／ＮＡＣＫを用いることを目標フィードバックモードとして決定することを含み、
前記端末装置が前記目標フィードバックモードを使用して前記フィードバック情報を伝送することは、
前記ＰＵＣＣＨのフォーマット及び／又はリソースを使用して前記フィードバック情報を伝送することを含み、
前記指示情報が前記端末装置が前記フィードバック情報を伝送するフィードバックモードを示す場合、前記端末装置が前記指示情報に基づいて前記目標フィードバックモードを決定することは、
前記端末装置が指示情報の示す前記フィードバック情報を伝送するフィードバックモードを前記目標フィードバックモードとして決定することを含むことを特徴とする請求項８に記載の方法。
【請求項１０】
前記端末装置が前記目標フィードバックモードを使用して前記フィードバック情報を伝送することは、
前記端末装置がデータチャネル及び／又は制御チャネルにおいて前記目標フィードバックモードを使用して前記フィードバック情報を伝送することを含み、
前記目標フィードバックモードが第１フィードバックモードと第２フィードバックモードを含む場合、前記端末装置がデータチャネル及び／又は制御チャネルにおいて前記目標フィードバックモードを使用してフィードバック情報を伝送することは、
前記データチャネルにおいて前記第１フィードバックモードで前記フィードバック情報を伝送し、前記制御チャネルにおいて前記第２フィードバックモードで前記フィードバック情報を伝送することを含み、
前記データチャネルにおいて前記第１フィードバックモードで前記フィードバック情報を伝送することは、
前記端末装置がメディアアクセス制御ＭＡＣ制御要素ＣＥにおいて前記第１フィードバックモードでフィードバックすることを含むことを特徴とする請求項１〜９のいずれか１項に記載の方法。
【請求項１１】
前記目標フィードバックモードは、
前記ＴＢに対して１ビットのＡＣＫ／ＮＡＣＫを用いてフィードバックするモード、複数のＴＢに対して１ビットのＡＣＫ／ＮＡＣＫを用いてフィードバックするモード、前記ＴＢにおける一部又は全部のＣＢに対してビットマッピング方式でフィードバックするモードのうちの１つを含み、前記複数のＴＢが前記ＴＢを含むことを特徴とする請求項１〜１０のいずれか１項に記載の方法。
【請求項１２】
フィードバック情報伝送方法であって、
ネットワーク機器が端末装置へ指示情報を送信し、前記指示情報は前記端末装置がフィードバック情報の伝送に使用される目標フィードバックモードを決定することに用いられ、前記フィードバック情報は前記端末装置が受信した前記ネットワーク機器から送信された伝送ブロックＴＢに対するフィードバック情報であることと、
前記ネットワーク機器は前記端末装置が前記目標フィードバックモードを使用して伝送したフィードバック情報を受信することと、を含むことを特徴とするフィードバック情報伝送方法。
【請求項１３】
前記指示情報は、
複数のフィードバックモード、複数の範囲と複数のフィードバックモードとの対応関係、前記フィードバック情報の伝送に使用される物理アップリンク制御チャネルＰＵＣＣＨのフォーマット及び／又はリソースの情報及び前記端末装置が前記フィードバック情報を伝送するフィードバックモードのうちの少なくとも１つを示し、前記複数の範囲が１つのＴＢにおける受信に成功した又は受信に失敗したＣＢの個数範囲、又は、１つのＴＢにおける受信に成功した又は受信に失敗したＣＢの総ＣＢでの比率範囲であることを特徴とする請求項１２に記載の方法。
【請求項１４】
前記指示情報が前記複数のフィードバックモードを示す場合、前記ネットワーク機器が前記端末装置が前記目標フィードバックモードを使用して伝送したフィードバック情報を受信することは、
前記ネットワーク機器が前記端末装置が第１フィードバックモードで伝送したフィードバック情報を受信することを含み、前記第１フィードバックモードは端末装置が前記ＴＢの受信状況に応じて前記複数のフィードバックモードから決定されたものであり、
前記指示情報が前記複数の範囲と複数のフィードバックモードとの対応関係を示す場合、前記ネットワーク機器が前記端末装置が前記目標フィードバックモードを使用して伝送したフィードバック情報を受信することは、
前記ネットワーク機器が前記端末装置が第２フィードバックモードで伝送したフィードバック情報を受信することを含み、前記第２フィードバックモードは端末装置が第１範囲及び前記対応関係に基づいて決定されたものであり、前記第１範囲が第１パラメータに対応する範囲であり、前記第１パラメータが前記ＴＢにおける受信に成功した又は受信に失敗したコードブロックＣＢの個数、又は、受信に成功した又は受信に失敗したＣＢの総ＣＢでの比率を示し、
前記指示情報は前記端末装置が前記フィードバック情報を伝送するフィードバックモードを示す場合、前記ネットワーク機器が前記端末装置が前記目標フィードバックモードを使用して伝送したフィードバック情報を受信することは、前記ネットワーク機器が前記端末装置が前記指示情報の示す前記フィードバック情報を伝送するフィードバックモードで伝送した前記フィードバック情報を受信することを含み、又は、
前記指示情報が前記フィードバック情報の伝送に使用されるＰＵＣＣＨのフォーマット及び／又はリソースの情報を示す場合、前記ネットワーク機器が前記端末装置が前記目標フィードバックモードを使用して伝送したフィードバック情報を受信することは、前記ネットワーク機器が前記端末装置が第３フィードバックモードで伝送した前記フィードバック情報を受信することを含み、前記第３フィードバックモードが前記ＰＵＣＣＨのフォーマット及び／又はリソースの情報に基づいて決定されたものであることを特徴とする請求項１３に記載の方法。
【請求項１５】
前記ネットワーク機器が前記端末装置へ指示情報を送信することは、
前記ネットワーク機器が前記指示情報を含む高層シグナリングを前記端末装置に送信することを含み、前記高層シグナリングは無線リソース制御ＲＲＣシグナリングであることを特徴とする請求項１２〜１４のいずれか１項に記載の方法。
【請求項１６】
前記目標フィードバックモードは、
前記ＴＢに対して１ビットのＡＣＫ／ＮＡＣＫを用いてフィードバックするモード、複数のＴＢに対して１ビットのＡＣＫ／ＮＡＣＫを用いてフィードバックするモード、前記ＴＢにおける一部又は全部のＣＢに対してビットマッピング方式でフィードバックするモードのうちの１つを含み、前記複数のＴＢが前記ＴＢを含むことを特徴とする請求項１２〜１５のいずれか１項に記載の方法。
【請求項１７】
端末装置であって、
フィードバック情報の伝送に使用される目標フィードバックモードを決定することに用いられ、前記フィードバック情報は前記端末装置が受信したネットワーク機器から送信された伝送ブロックＴＢに対するフィードバック情報である決定モジュールと、
前記目標フィードバックモードを使用して前記フィードバック情報を伝送するための通信モジュールと、を備えることを特徴とする端末装置。
【請求項１８】
前記決定モジュールは、具体的に、
前記ＴＢの受信状況に応じて前記目標フィードバックモードを決定することに用いられることを特徴とする請求項１７に記載の端末装置。
【請求項１９】
前記決定モジュールは、具体的に、
前記ＴＢの受信状況に応じて予め設定された複数のフィードバックモードから前記目標フィードバックモードを決定することに用いられることを特徴とする請求項１８に記載の端末装置。
【請求項２０】
前記通信モジュールは、更に、
前記ネットワーク機器から送信された、前記ネットワーク機器により予め設定された前記複数のフィードバックモードを含む高層シグナリングを受信することに用いられることを特徴とする請求項１９に記載の端末装置。
【請求項２１】
前記決定モジュールは、具体的に、
第１パラメータに基づいて前記目標フィードバックモードを決定することに用いられ、前記第１パラメータが前記ＴＢにおける受信に成功した又は受信に失敗したコードブロックＣＢの個数、又は、受信に成功した又は受信に失敗したＣＢの総ＣＢでの比率を示すことを特徴とする請求項１７〜２０のいずれか１項に記載の端末装置。
【請求項２２】
前記決定モジュールは、具体的に、
複数の範囲から前記第１パラメータに対応する第１範囲を決定し、前記複数の範囲が１つのＴＢにおける受信に成功した又は受信に失敗したＣＢの個数範囲、又は、１つのＴＢにおける受信に成功した又は受信に失敗したＣＢの総ＣＢでの比率範囲であり、
前記第１範囲及び予め設定された前記複数の範囲と複数のフィードバックモードとの対応関係に基づいて前記目標フィードバックモードを決定することに用いられることを特徴とする請求項２１に記載の端末装置。
【請求項２３】
前記通信モジュールは、更に、
前記ネットワーク機器から送信された、前記ネットワーク機器により予め設定された前記対応関係を含む高層シグナリングを受信することに用いられ、
前記ネットワーク機器から送信された、前記フィードバック情報を伝送するための物理アップリンク制御チャネルＰＵＣＣＨのリソースの情報を受信し、前記ＰＵＣＣＨのリソースによって前記端末装置が前記複数のフィードバックモードのうちのいずれか１つのフィードバックモードで伝送する前記フィードバック情報を伝送することができ、
前記ＰＵＣＣＨリソースにおいて前記目標フィードバックモードを使用して前記フィードバック情報を伝送することに用いられることを特徴とする請求項２２に記載の端末装置。
【請求項２４】
前記通信モジュールは、更に、
ネットワーク機器から送信された指示情報を受信することに用いられ、
前記決定モジュールは、具体的に、
前記指示情報に基づいて前記目標フィードバックモードを決定することに用いられ、
前記指示情報は前記フィードバック情報の伝送に使用されるＰＵＣＣＨのフォーマット及び／又はリソースの情報を示し、又は、前記指示情報は前記端末装置が前記フィードバック情報を伝送するフィードバックモードを示し、
前記指示情報が前記フィードバック情報の伝送に使用されるＰＵＣＣＨのフォーマット及び／又はリソースの情報を示す場合、前記決定モジュールは、具体的に、前記ＰＵＣＣＨのフォーマット及び／又はリソースの情報に基づいて前記目標フィードバックモードを決定することに用いられ、前記通信モジュールは、具体的に、前記ＰＵＣＣＨのフォーマット及び／又はリソースを使用して前記フィードバック情報を伝送することに用いられ、前記決定モジュールは、具体的に、前記ＰＵＣＣＨのフォーマット及び／又はリソースの情報が１つの確認／否定確認ＡＣＫ／ＮＡＣＫを伝送するフォーマット及び／又はリソースを示す場合、目標フィードバックモードが前記ＴＢに対して１ビットのＡＣＫ／ＮＡＣＫを用いることであると決定し、又は
前記ＰＵＣＣＨのフォーマット及び／又はリソースの情報が複数のＡＣＫ／ＮＡＣＫを伝送するフォーマット及び／又はリソースを示す場合、目標フィードバックモードが前記ＴＢに対して複数のビットのＡＣＫ／ＮＡＣＫを用いることであると決定することに用いられ、
前記指示情報が前記端末装置が前記フィードバック情報を伝送するフィードバックモードを示す場合、前記決定モジュールは、具体的に、指示情報の示す前記フィードバック情報を伝送するフィードバックモードを前記目標フィードバックモードとして決定することに用いられることを特徴とする請求項１７に記載の端末装置。
【請求項２５】
前記通信モジュールは、具体的に、
データチャネル及び／又は制御チャネルにおいて前記目標フィードバックモードを使用して前記フィードバック情報を伝送することに用いられ、前記目標フィードバックモードが第１フィードバックモードと第２フィードバックモードを含む場合、前記通信モジュールは、具体的に、
前記データチャネルにおいて前記第１フィードバックモードで前記フィードバック情報を伝送し、前記制御チャネルにおいて前記第２フィードバックモードで前記フィードバック情報を伝送することに用いられ、前記通信モジュールは、具体的に、
メディアアクセス制御ＭＡＣ制御要素ＣＥにおいて前記第１フィードバックモードでフィードバックすることに用いられることを特徴とする請求項１７〜２４のいずれか１項に記載の端末装置。
【請求項２６】
前記通信モジュールは、具体的に、
ネットワーク機器から送信されたアップリンクデータチャネルを伝送するためのリソースの情報を受信し、
アップリンクデータチャネルを伝送するためのリソースにおいて、前記目標フィードバックモードを使用して前記フィードバック情報を伝送することに用いられることを特徴とする請求項２５に記載の端末装置。
【請求項２７】
前記目標フィードバックモードは、
前記ＴＢに対して１ビットのＡＣＫ／ＮＡＣＫを用いてフィードバックするモード、複数のＴＢに対して１ビットのＡＣＫ／ＮＡＣＫを用いてフィードバックするモード、前記ＴＢにおける一部又は全部のＣＢに対してビットマッピング方式でフィードバックするモードのうちの１つを含み、前記複数のＴＢが前記ＴＢを含むことを特徴とする請求項１７〜２６のいずれか１項に記載の端末装置。
【国際調査報告】
2020511823.tif 000010
2020511823.tif 000011
2020511823.tif 000012
2020511823.tif 000013